(57)【要約】      （修正有）【課題】アクセサリをカメラボディに適正に使用可能な状態で装着する。【解決手段】ボディ側マウントと、ボディ側マウントから内径方向に向けてそれぞれ突出する複数のボディ側突出部と、複数のボディ側突出部の像側にそれぞれ配置された４つの弾性部材と、を備えるカメラボディに対して着脱可能な交換レンズであって、レンズ側マウントと、レンズ側マウントが固定される固定部材と、レンズ側マウントの内周縁部から光軸方向に延びた円筒部と、円筒部から外周方向に向けて突出し、円筒部の円周方向に延びた複数のレンズ側突出部と、を備え、複数のレンズ側突出部は、カメラボディに交換レンズが装着された際に、４つの弾性部材に対向する４つの対向部を備え、固定部材に対してレンズ側マウントは少なくとも４つのネジ５１３で固定されており、４つのネジは、４つの対向部の外周側であって、かつ、４つの対向部の円周方向の一方にそれぞれ配置されている。【選択図】図１１
2020013098.tif 000002
【特許請求の範囲】
【請求項１】
被写体光が入射する撮像素子と、前記撮像素子の外側に配置されたボディ側端子群と、前記ボディ側端子群の外側に配置された円環状のボディ側マウントと、前記ボディ側マウントから内径方向に向けてそれぞれ突出する複数のボディ側突出部と、前記複数のボディ側突出部の像側にそれぞれ配置された４つの弾性部材と、を備えるカメラボディに対して着脱可能な交換レンズであって、
前記ボディ側マウントと接触するレンズ側マウントと、
前記被写体光の光軸と直交する方向に配置され、前記レンズ側マウントが固定される固定部材と、
前記レンズ側マウントの内周縁部から前記光軸方向に延びた円筒部と、
前記円筒部の内側に配置され、前記カメラボディに装着時に前記ボディ側端子群と接触するレンズ側端子群と、
前記円筒部から外周方向に向けて突出し、前記円筒部の円周方向に延びた複数のレンズ側突出部と、を備え、
前記複数のレンズ側突出部は、前記カメラボディに前記交換レンズが装着された際に、前記４つの弾性部材に対向する４つの対向部を備え、
前記固定部材に対して前記レンズ側マウントは少なくとも４つのネジで固定されており、
前記４つのネジは、前記４つの対向部の外周側であって、かつ、前記４つの対向部の前記円周方向の一方にそれぞれ配置されている交換レンズ。
【請求項２】
前記４つのネジのうちの少なくとも２つは、前記複数のレンズ側突出部のうちの２つの外周側にそれぞれ配置されている、請求項１に記載の交換レンズ。
【請求項３】
前記レンズ側マウントを前記カメラボディ側から見て、前記４つのネジは、前記光軸に対して前記光軸と前記レンズ側端子群の中心とを通る直線から略４５度の位置に配置されている、請求項１または２に記載の交換レンズ。
【発明の詳細な説明】
【技術分野】
【０００１】
本発明は、交換レンズに関する。
【背景技術】
【０００２】
カメラボディに着脱可能なアクセサリが知られている（例えば特許文献１）。従来から、カメラボディにアクセサリを適正に使用可能な状態で装着する必要があった。
【先行技術文献】
【特許文献】
【０００３】
【特許文献１】特開平８−４３９１０号公報
【発明の概要】
【０００４】
本発明の第１の態様による交換レンズは、被写体光が入射する撮像素子と、前記撮像素子の外側に円弧状に配置されたボディ側端子群と、前記ボディ側端子群の外側に配置された円環状のボディ側マウントと、前記ボディ側マウントから内径方向に向けてそれぞれ突出する複数のボディ側突出部と、前記複数のボディ側突出部の像側にそれぞれ配置された４つの弾性部材と、を備えるカメラボディに対して着脱可能な交換レンズであって、前記ボディ側マウントと接触するレンズ側マウントと、前記被写体光の光軸と直交する方向に配置され、前記レンズ側マウントが固定される固定部材と、前記レンズ側マウントの内周縁部から前記光軸方向に延びた円筒部と、前記円筒部の内側に配置され、前記カメラボディに装着時に前記ボディ側端子群と接触するレンズ側端子群と、前記円筒部から外周方向に向けて突出し、前記円筒部の円周方向に延びた複数のレンズ側突出部と、を備え、前記複数のレンズ側突出部は、前記カメラボディに前記交換レンズが装着された際に、前記４つの弾性部材に対向する４つの対向部を備え、前記固定部材に対して前記レンズ側マウントは少なくとも４つのネジで固定されており、前記４つのネジは、前記４つの対向部の外周側であって、かつ、前記４つの対向部の前記円周方向の一方にそれぞれ配置されている。
【図面の簡単な説明】
【０００５】
【図１】カメラシステムの構成の概略を示す図である。
【図２】カメラシステムの構成の概略を示す図である。
【図３】被写体側から見たカメラボディのマウント面の正面図である。
【図４】被写体側から見たカメラボディのマウント面の正面図である。
【図５】ボディ側マウントを取り外したカメラボディのマウントを被写体側から見た図である。
【図６】像側から見たテレコンバータの後側マウントを模式的に示す図である。
【図７】像側から見たテレコンバータの後側マウントを模式的に示す図である。
【図８】後側マウント面の斜視図である。
【図９】被写体側から見たテレコンバータの前側マウントを模式的に示す図である。
【図１０】被写体側から見たテレコンバータの前側マウントを模式的に示す図である。
【図１１】対応レンズの対応マウントを像側から見た模式図である。
【図１２】対応レンズの対応マウントを像側から見た模式図である。
【図１３】被写体側から見た、挿入位置におけるボディ側爪部とレンズ側爪部の正面図である。
【図１４】被写体側から見た、装着位置におけるボディ側爪部とレンズ側爪部の正面図である。
【図１５】被写体側から見た、装着方向の過回転状態におけるボディ側爪部とレンズ側爪部との正面図と側面図である。
【図１６】被写体側から見た、取り外し方向の過回転状態におけるボディ側爪部とレンズ側爪部との側面図である。
【図１７】被写体側から見た、第１誤挿入状態におけるボディ側爪部と後側爪部との正面図である。
【図１８】被写体側から見た、第２誤挿入状態におけるボディ側爪部と後側爪部との正面図である。
【図１９】被写体側から見た、第３誤挿入状態におけるボディ側爪部と後側爪部との正面図である。
【図２０】被写体側から見た、第４誤挿入状態におけるボディ側爪部と後側爪部との正面図である。
【図２１】像側から見た、前側爪部とレンズ側爪部の正面図である。
【図２２】像側から見た、前側爪部とレンズ側爪部の正面図である。
【図２３】像側から見た、誤挿入状態での前側爪部または突起とレンズ側爪部との当接箇所を示す図である。
【図２４】像側から見た、誤挿入状態での前側爪部または突起とレンズ側爪部との当接箇所を示す図である。
【図２５】像側から見た、誤挿入状態での前側爪部または突起とレンズ側爪部との当接箇所を示す図である。
【図２６】像側から見た、誤挿入状態での前側爪部または突起とレンズ側爪部との当接箇所を示す図である。
【図２７】像側から見た、誤挿入状態での前側爪部または突起とレンズ側爪部との当接箇所を示す図である。
【図２８】変形例１の対応マウントを説明する模式図である。
【図２９】変形例２の対応マウントを説明する模式図である。
【図３０】変形例３の対応マウントを説明する模式図である。
【発明を実施するための形態】
【０００６】
（カメラシステム１）
図１、図２は、発明の一実施の形態に係るカメラシステム１の構成の概略を示す図である。カメラシステム１は、カメラボディ２と、カメラボディ２に着脱可能なテレコンバータ３と、カメラボディ２およびテレコンバータ３に着脱可能な対応レンズ５と、カメラボディ２には着脱可能でありかつテレコンバータ３には装着不可な非対応レンズ６とを含む。
【０００７】
図１に示すように、カメラボディ２には、テレコンバータ３を介して対応レンズ５が着脱可能である。図１（ａ）では、対応レンズ５をカメラボディ２に装着させ、図１（ｂ）では、対応レンズ５とカメラボディ２との間にテレコンバータ３を介在させた例を示す。カメラボディ２のボディ側マウント２１０に対する対応レンズ５の対応マウント５１０のいわゆるバヨネット結合により、対応レンズ５はカメラボディ２に装着される。カメラボディ２のボディ側マウント２１０に対するテレコンバータ３の後側マウント３１０のいわゆるバヨネット結合により、テレコンバータ３はカメラボディ２に装着される。テレコンバータ３の前側マウント４１０に対する対応レンズ５の対応マウント５１０のいわゆるバヨネット結合により、対応レンズ５はテレコンバータ３に装着される。
【０００８】
図２(ａ)に示すように、カメラボディ２には、非対応レンズ６が着脱可能である。カメラボディ２のボディ側マウント２１０に対する非対応レンズ６の非対応マウント６１０のいわゆるバヨネット結合により、非対応レンズ６はカメラボディ２に装着される。ボディ側マウント２１０と前側マウント４１０とは異なる形状であり、非対応マウント６１０と対応マウント５１０とも異なる形状である。従って、対応マウント５１０はボディ側マウント２１０と前側マウント４１０の両方に着脱可能であり、非対応マウント６１０はボディ側マウント２１０に着脱可能でありかつ前側マウント４１０には装着不可とすることができる。
【０００９】
ここで、非対応レンズ６とは、仮にテレコンバータ３に装着させようとすると、図２（ｂ）に示すように、非対応レンズ６に含まれる最も被写体側のレンズが光軸Ｏ方向に移動することにより、テレコンバータ３の最も物体側のレンズにぶつかってしまう交換レンズなどがある。最も被写体側のレンズ以外でも、交換レンズ内の一部がテレコンバータ３の一部と衝突する場合、その交換レンズは非対応レンズ６とするのが好ましい。なお、非対応レンズ６は、その一部がテレコンバータ３と衝突する必要はなく、テレコンバータ３に装着する必要がない交換レンズを非対応レンズ６としてもよい。
【００１０】
（カメラボディ２）
カメラボディ２は、ボディ側マウント２１０、ボディ側端子保持部２２０、ボディ側ＣＰＵ２３０、ボディ側通信部２４０、ボディ側記憶部２５０、給電部２６０、および撮像素子２７０を有する。ボディ側マウント２１０およびボディ側端子保持部２２０については後に詳述する。
【００１１】
ボディ側ＣＰＵ２３０は、マイクロコンピュータおよびその周辺回路等から構成される。ボディ側ＣＰＵ２３０は、カメラボディ２、テレコンバータ３、対応レンズ５および非対応レンズ６の種々の制御を行う。ボディ側通信部２４０は、テレコンバータ３、対応レンズ５および非対応レンズ６との間で所定のデータ通信を行う。ボディ側通信部２４０は、ボディ側端子保持部２２０に設けられた複数のボディ側端子（後述）とボディ側ＣＰＵ２３０とに接続される。
【００１２】
ボディ側記憶部２５０は不揮発性の記憶媒体である。ボディ側記憶部２５０は、ボディ側ＣＰＵ２３０に接続される。ボディ側記憶部２５０には、ボディ側ＣＰＵ２３０が実行する所定の制御プログラム等が予め記憶される。ボディ側ＣＰＵ２３０は、ボディ側記憶部２５０から制御プログラムを読み込んでプログラムを実行することにより各制御を行う。
【００１３】
給電部２６０は電源を有し、カメラボディ２、テレコンバータ３、対応レンズ５および非対応レンズ６に対して電力の供給を行う。給電部２６０は、ボディ側端子保持部２２０に設けられたボディ側端子（後述）とボディ側ＣＰＵ２３０とに接続される。
撮像素子２７０は、例えばＣＣＤやＣＭＯＳ等の固体撮像素子である。撮像素子２７０は、ボディ側ＣＰＵ２３０に接続され、被写体を撮像して撮像信号を出力する。出力された撮像信号の処理については説明を省略する。
【００１４】
（テレコンバータ３）
テレコンバータ３は、後側マウント３１０、後側端子保持部３２０、前側マウント４１０、前側端子保持部４２０、テレコン側制御／通信部３３０、テレコン側記憶部３４０、スイッチ３５０、テレコン側電源回路３６０およびレンズ３７０を有する。後側マウント３１０、後側端子保持部３２０、前側マウント４１０および前側端子保持部４２０については後に詳述する。
【００１５】
テレコン側制御／通信部３３０は、マイクロコンピュータおよびその周辺回路等から構成される。テレコン側制御／通信部３３０は、スイッチ３５０の開閉制御など、テレコンバータ３の種々の制御を行う。テレコン側制御／通信部３３０は、カメラボディ２と対応レンズ５との間に介在して所定のデータ通信を行う。テレコン側制御／通信部３３０は、後側端子保持部３２０に設けられた複数のボディ側端子（後述）に接続される。
テレコン側制御／通信部３３０は、テレコン側記憶部３４０に記憶されている制御プログラムを実行してスイッチ３５０を開閉制御する。スイッチ３５０が閉じると、カメラボディ２からテレコン側電源回路３６０に供給された電力が対応レンズ５へ供給され、スイッチ３５０が開くと、対応レンズ５への電力の供給が遮断される。テレコン側制御／通信部３３０は、ボディ側通信部２４０との間で所定の通信を行う。
【００１６】
テレコン側記憶部３４０は、テレコン側制御／通信部３３０によってデータの記録と読み出しが制御される。テレコン側記憶部３４０は、テレコン側制御／通信部３３０が実行する制御プログラム等を記憶する他に、テレコンバータ３のデータ（機種名や倍率など）を記憶することができる。
【００１７】
レンズ３７０は、対応レンズ５の焦点距離を拡大するテレコンバータレンズである。対応レンズ５にテレコンバータ３が装着された状態では、テレコンバータ３が装着されない状態と比べて、対応レンズ５の焦点距離が１．４倍になる。本実施形態ではテレコンバータ３の倍率は１．４倍としたがこの限りではない。
【００１８】
（対応レンズ５）
対応レンズ５は、対応マウント５１０、レンズ側端子保持部５２０、レンズ側ＣＰＵ５３０、レンズ側通信部５４０、レンズ側記憶部５５０、撮像光学系５６０、および駆動部５７０を有する。対応マウント５１０およびレンズ側端子保持部５２０については後に詳述する。
【００１９】
レンズ側ＣＰＵ５３０は、マイクロコンピュータおよびその周辺回路等から構成される。レンズ側通信部５４０は、カメラボディ２との間で、またはテレコンバータ３を介したカメラボディ２との間で、所定のデータ通信を行う。レンズ側通信部５４０は、レンズ側端子保持部５２０に設けられたレンズ側端子（後述）とレンズ側ＣＰＵ５３０とに接続される。レンズ側記憶部５５０は不揮発性の記憶媒体である。レンズ側記憶部５５０は、レンズ側ＣＰＵ５３０に接続される。レンズ側記憶部５５０には、レンズ側ＣＰＵ５３０が実行する所定の制御プログラム等が予め記憶される。レンズ側ＣＰＵ５３０は、レンズ側記憶部５５０から制御プログラムを読み込んでプログラムを実行することにより、対応レンズ５の制御を行う。
【００２０】
撮像光学系５６０は、撮像素子２７０の撮像面に被写体像を結像させる。撮像光学系５６０の光軸Ｏは、対応マウント５１０、前側マウント４１０、後側マウント３１０、ボディ側マウント２１０および撮像素子２７０の中心と略一致する。撮像光学系５６０は、複数のレンズを有し、フォーカシングレンズ５６２を含む。フォーカシングレンズ５６２は、被写体像の結像位置を調節するレンズである。駆動部５７０は、レンズ側ＣＰＵ５３０に接続され、不図示のアクチュエータ等を有する。駆動部５７０は、このアクチュエータ等により、フォーカシングレンズ３６２を光軸Ｏ方向（＋Ｚ、−Ｚ方向）に進退移動させる。
【００２１】
（非対応レンズ６）
非対応レンズ６は、非対応マウント６１０、レンズ側端子保持部６２０、レンズ側ＣＰＵ６３０、レンズ側通信部６４０、レンズ側記憶部６５０、撮像光学系６６０、および駆動部６７０を有する。非対応マウント６１０およびレンズ側端子保持部６２０については後に詳述する。
非対応レンズ６は、撮像光学系６６０が対応レンズ５の撮像光学系５６０と異なり、最も像側にフォーカシングレンズ６６２等の光軸Ｏ方向に移動するレンズを備える。その為、非対応レンズ６は、テレコンバータ３に装着されないように、非対応マウント６１０の形状を対応マウント５１０の形状と異なるように形成している。非対応レンズ６のレンズ側ＣＰＵ６３０、レンズ側通信部６４０、レンズ側記憶部６５０および駆動部６７０は、対応レンズ５のレンズ側ＣＰＵ５３０、レンズ側通信部５４０、レンズ側記憶部５５０および駆動部５７０と同等でもよく、適宜変更可能である。
【００２２】
（ボディ側マウント２１０）
図３、図４は、被写体側から見たカメラボディ２のマウントを模式的に示す図である。図３、図４は、カメラボディ２を横位置に構えた状態を示す。図３に示すように、矩形状の撮像素子２７０は、カメラボディ２を横位置に構えた際に、横長すなわち長辺が上辺と下辺になり、短辺が右辺と左辺になる。図３に実線で示す、カメラボディ２の垂直方向Ｙに延びるボディ側第１直線Ｂ１は、カメラシステム１を使用する撮影者がカメラボディ２を横位置に構えた際に、撮影者から見た上下方向である。図３に実線で示す、カメラボディ２の水平方向Ｘに延びるボディ側第２直線Ｂ２は、カメラシステム１を使用する撮影者がカメラボディ２を横位置に構えた際に、撮影者から見た左右方向である。
【００２３】
ボディ側第１直線Ｂ１とボディ側第２直線Ｂ２とは光軸Ｏ（中心）上で直交する。図３に一点鎖線で示すように、ボディ側第１直線Ｂ１およびボディ側第２直線Ｂ２と撮像素子２７０の光軸Ｏ上で４５度で交差する方向に延びる線を、ボディ側第３直線Ｂ３、ボディ側第４直線Ｂ４とする。
【００２４】
カメラボディ２のマウントは、撮像素子２７０の外周に円弧状に配置されたボディ側端子保持部２２０およびボディ側端子保持部２２０の外側に配置された円環状のボディ側マウント２１０を備える。ボディ側マウント２１０は、一定の幅を有し光軸Ｏと直交する面に沿って配置される環状の基準面２１１を有する。ボディ側マウント２１０は、内径から光軸Ｏに向けてそれぞれ突出する突出部としての、ボディ側第１爪部２９０ａ、ボディ側第２爪部２９０ｂ、ボディ側第３爪部２９０ｃおよびボディ側第４爪部２９０ｄを有する。
以下の説明において、これら４つの突出部であるボディ側第１爪部２９０ａ〜第４爪部２９０ｄを、ボディ側爪部２９０と総称する。
【００２５】
ボディ側爪部２９０は、ボディ側マウント２１０の円形の開口２１２に沿って、互いに間隔を置いて配置される。図３に示すように、ボディ側第１爪部２９０ａは右上の位置に、ボディ側第２爪部２９０ｂは左上の位置に、ボディ側第３爪部２９０ｃは左下の位置に、ボディ側第４爪部２９０ｄは右下の位置に、それぞれ配置される。ボディ側第１爪部２９０ａはボディ側第２直線Ｂ２より上側でかつボディ側第１直線Ｂ１の右側の領域に、ボディ側第２爪部２９０ｂはボディ側第２直線Ｂ２より上側でかつボディ側第１直線Ｂ１の左側の領域に、ボディ側第３爪部２９０ｃはボディ側第２直線Ｂ２より下側でかつボディ側第１直線Ｂ１の左側の領域に、ボディ側第４爪部２９０ｄはボディ側第２直線Ｂ２より下側でかつボディ側第１直線Ｂ１の右側の領域に、それぞれ配置される。
【００２６】
ボディ側第１爪部２９０ａとボディ側第３爪部２９０ｃは、ボディ側第４直線Ｂ４の線上であって光軸Ｏを挟むようにして配置される。ボディ側第２爪部２９０ｂとボディ側第４爪部２９０ｄは、ボディ側第３直線Ｂ３の線上であって光軸Ｏを挟むようにして配置される。
なお、図３に示すように、ボディ側第１爪部２９０ａ〜ボディ側第４爪部２９０ｄそれぞれの円周方向に沿った中心位置は、ボディ側第３直線Ｂ３、ボディ側第４直線Ｂ４とは重ならない。
【００２７】
図４に示すように、ボディ側第１爪部２９０ａ〜ボディ側第４爪部２９０ｄの円周方向の長さは、それぞれ異なっている。具体的には、ボディ側第１爪部２９０ａが最も長く、ボディ側第３爪部２９０ｃが２番目に長く、ボディ側第４爪部２９０ｄが３番目に長く、ボディ側第２爪部２９０ｂが最も短い。
ボディ側第１爪部２９０ａの一端と光軸Ｏとを結ぶ直線と、ボディ側第１爪部２９０ａの他端と光軸Ｏとを結ぶ直線とのなす角度α１は約４７度であり、４６．５度から４７．５度の間である。
ボディ側第３爪部２９０ｃの一端と光軸Ｏとを結ぶ直線と、ボディ側第３爪部２９０ｃの他端と光軸Ｏとを結ぶ直線とのなす角度α３は約４２．５度であり、４２．０度から４３．０度の間である。
【００２８】
ボディ側第４爪部２９０ｄの一端と光軸Ｏとを結ぶ直線と、ボディ側第４爪部２９０ｄの他端と光軸Ｏとを結ぶ直線とのなす角度α４は約４２度であり、４１．５度から４２．５度の間である。
ボディ側第２爪部２９０ｂの一端と光軸Ｏとを結ぶ直線と、ボディ側第２爪部２９０ｂの他端と光軸Ｏとを結ぶ直線とのなす角度α２は約４０度であり、４０．０度から４１．０度の間である。
ボディ側第１爪部２９０ａ〜ボディ側第４爪部２９０ｄの径方向の長さ（爪部の高さ）は、それぞれ同じである。また、ボディ側第１爪部２９０ａ〜ボディ側第４爪部２９０ｄの光軸Ｏ方向の長さ（爪部の厚み）は、それぞれ同じである。
【００２９】
ボディ側爪部２９０は、ボディ側マウント２１０の開口２１２から光軸Ｏに向かって突出し、開口２１２の円周上には、ボディ側爪部２９０が存在する部分と、ボディ側爪部２９０が存在しない部分がある。以下の説明において、ボディ側マウント２１０の開口２１２の円周上における、ボディ側第１爪部２９０ａとボディ側第４爪部２９０ｄとの間の空間２８０ａをボディ側第１挿抜部２８０ａと称する。
【００３０】
同様に、ボディ側第１爪部２９０aとボディ側第２爪部２９０ｂとの間の空間２８０ｂをボディ側第２挿抜部２８０ｂ、ボディ側第２爪部２９０ｂとボディ側第３爪部２９０ｃとの間の空間２８０ｃをボディ側第３挿抜部２８０ｃ、ボディ側第３爪部２９０ｃとボディ側第４爪部２９０ｄとの間の空間２８０ｄをボディ側第４挿抜部２８０ｄと、それぞれ称する。これら４つの空間であるボディ側第１挿抜部２８０ａ〜第４挿抜部２８０ｄを、ボディ側挿抜部２８０と総称する。
【００３１】
ボディ側第１挿抜部２８０ａ〜ボディ側第４挿抜部２８０ｄの円周方向の長さは、それぞれ異なっている。具体的には、ボディ側第３挿抜部２８０ｃが最も長く、ボディ側第１挿抜部２８０ａが２番目に長く、ボディ側第４挿抜部２８０ｄが３番目に長く、ボディ側第２挿抜部２８０ｂが最も短い。
ボディ側第３挿抜部２８０ｃの一端と光軸Ｏとを結ぶ直線と、ボディ側第３挿抜部２８０ｃの他端と光軸Ｏとを結ぶ直線とのなす角度β３は約５１度であり５１．０度から５２．０度の間である。
ボディ側第１挿抜部２８０ａの一端と光軸Ｏとを結ぶ直線と、ボディ側第１挿抜部２８０ａの他端と光軸Ｏとを結ぶ直線とのなす角度β１は約５０度であり、５０．０度から５１．０度の間である。
【００３２】
ボディ側第４挿抜部２８０ｄの一端と光軸Ｏとを結ぶ直線と、ボディ側第４挿抜部２８０ｄの他端と光軸Ｏとを結ぶ直線とのなす角度β４は約４６度であり、４５．５度から４６．５度の間である。
ボディ側第２挿抜部２８０ｂの一端と光軸Ｏとを結ぶ直線と、ボディ側第２挿抜部２８０ｂの他端と光軸Ｏとを結ぶ直線とのなす角度β２は約３９度であり、３９．０度から４０．０度の間である。
全てのボディ側爪部２９０の角度α１〜α４と、全てのボディ側挿抜部２８０の角度β１〜β４とを合計した値は３６０度である。
【００３３】
ボディ側第１挿抜部２８０ａはボディ側第３直線Ｂ３の上側でかつボディ側第４直線Ｂ４の下側の領域に、ボディ側第２挿抜部２８０ｂはボディ側第３直線Ｂ３の上側でかつボディ側第４直線Ｂ４の上側の領域に、ボディ側第３挿抜部２８０ｃはボディ側第３直線Ｂ３の下側でかつボディ側第４直線Ｂ４の上側の領域に、ボディ側第４挿抜部２８０ｄはボディ側第３直線Ｂ３の下側でかつボディ側第４直線Ｂ４の下側の領域に、それぞれ配置される。
【００３４】
ボディ側第１挿抜部２８０ａとボディ側第３挿抜部２８０ｃは、ボディ側第２直線Ｂ２の線上であって光軸Ｏを挟むように配置される。ボディ側第２挿抜部２８０ｂとボディ側第４挿抜部２８０ｄは、ボディ側第１直線Ｂ１の線上であって光軸Ｏを挟むように配置される。
なお、図３に示すように、ボディ側第１挿抜部２８０ａ〜ボディ側第４挿抜部２８０ｄそれぞれの円周方向に沿った中心位置は、ボディ側第１直線Ｂ１、ボディ側第２直線Ｂ２とは重ならない。
【００３５】
ボディ側マウント２１０の開口２１２の内側には、複数のボディ側端子（以下、「ボディ側端子群」とする）からなるボディ側端子保持部２２０が設けられる。ボディ側端子保持部２２０は、環状のボディ側マウント２１０の形状に対応する円弧状の形状を有する。ボディ側端子保持部２２０は、ボディ側マウント２１０の開口２１２の内周側であって撮像素子２７０の上部に配置される。ボディ側端子保持部２２０の周方向における中心は、ボディ側第１直線Ｂ１上に位置するのが好ましい。
【００３６】
ボディ側端子保持部２２０の右上にはボディ側第１爪部２９０ａが配置され、ボディ側端子保持部２２０の左上にはボディ側第２挿抜部２８０ｂが配置される。よって、ボディ側端子保持部２２０の一端と光軸Ｏとを結ぶ直線と、ボディ側端子保持部２２０の他端と光軸Ｏとを結ぶ直線とのなす角度は、ボディ側第１爪部２９０ａの角度α１とボディ側第２挿抜部２８０ｂの角度β２とを合わせた角度より小さい。
【００３７】
ボディ側端子保持部２２０に含まれるボディ側端子群は、撮像素子２７０の上辺の上部に円弧状に並べて配置される。ボディ側端子群は、それぞれ導電性のピンである。ボディ側端子群は、不図示のバネ等により、像側から被写体側へ向かう−Ｚ方向（図１）に向かって押されている。
【００３８】
ボディ側マウント２１０は、ロックピン２１４が貫通する孔を有する。ロックピン２１４が貫通する孔は、ボディ側第４爪部２９０ｄの右上に配置される。つまり、ボディ側マウント２１０の環状の基準面２１１において、ロックピン２１４の孔は、ボディ側第４爪部２９０ｄが存在する領域とボディ側第１爪部２９０ａが存在する領域との間に配置される。ロックピン２１４は、不図示のバネ等により、−Ｚ方向（被写体側）に向かって押されている。ロックピン２１４は、不図示のロック解除ボタンを押すことにより、バネの付勢力に抗って＋Ｚ方向（像側、撮像素子２７０側）に移動可能である。
【００３９】
図５は、ボディ側マウント２１０を取り外したカメラボディ２のマウントを被写体側からみた模式図である。第１ボディ側爪部２９０ａと対応した位置（第１ボディ側爪部２９０ａの像側）には、第１板バネ２１３ａが設けられる。
同様に、第２ボディ側爪部２９０ｂと対応した位置（第２ボディ側爪部２９０ｂの像側）には、第２板バネ２１３ｂが設けられ、第３ボディ側爪部２９０ｃと対応した位置（第３ボディ側爪部２９０ｃの像側）には、第３板バネ２１３ｃが設けられ、第４ボディ側爪部２９０ｄと対応した位置（第４ボディ側爪部２９０ｄの像側）には、第４板バネ２１３ｄが設けられる。
以下の説明において、これら４つの第１板バネ２１３ａ〜第４板バネ２１３ｄを、板バネ２１３と総称する。板バネ２１３は、対向するアクセサリ側爪部（後述）３９０またはレンズ側爪部（後述）５９０、６９０の被写体側の面を撮像素子２７０側（＋Ｚ方向）に押し付ける。
【００４０】
図５に示すように、光軸Ｏと第１板バネ２１３ａの装着方向４４（後述）の後端部とを結ぶ直線Ｂ１０付近に、ボディ側端子保持部２２０の装着方向４４の後端部が配置される。第２板バネ２１３ｂ、第３板バネ２１３ｃ、第４板バネ２１３ｄは、第１板バネ２１３ａを起点として光軸Ｏ周りに略９０度間隔で配置される。
【００４１】
（テレコンバータ３の後側マウント３１０）
図６、図７は、像側から見たテレコンバータ３の後側マウントを模式的に示す図である。図６に実線で示すテレコンバータ３の垂直方向Ｙに延びるテレコン側第１直線Ｌ１は、カメラシステム１を使用する撮影者がカメラボディ２を横位置に構えた際に、撮影者から見た上下方向である。また、図６に実線で示す、テレコンバータ３の水平方向Ｘに延びるテレコン側第２直線Ｌ２は、カメラシステム１を使用する撮影者がカメラボディ２を横位置に構えた際に、撮影者から見た左右方向である。
【００４２】
テレコン側第１直線Ｌ１とテレコン側第２直線Ｌ２とは交換レンズ３の光軸Ｏ上で直交する。図６に一点鎖線で示すように、テレコン側第１直線Ｌ１およびテレコン側第２直線Ｌ２と光軸Ｏ上で４５度で交差する方向に延びる線を、テレコン側第３直線Ｌ３、テレコン側第４直線Ｌ４とする。カメラボディ２にテレコンバータ３を使用可能状態で装着した際は、ボディ側第１直線Ｂ１とテレコン側第１直線Ｌ１とが一致し、ボディ側第２直線Ｂ２とテレコン側第２直線Ｌ２とが一致し、ボディ側第３直線Ｂ３とテレコン側第４直線Ｌ４とが一致し、ボディ側第４直線Ｂ４とテレコン側第３直線Ｌ３とが一致する。なお、各直線同士は完全に一致しなくとも、テレコンバータ３をカメラボディ２に適正に使用可能な状態で装着できる範囲でズレが生じていてもよい。
【００４３】
テレコンバータ３のマウントは、テレコンバータ３をカメラボディ２に装着した際に、ボディ側端子保持部２２０に接触する後側端子保持部３２０と、ボディ側マウント２１０に接触する後側マウント３１０を備える。後側マウント３１０は、テレコンバータ３の光軸Ｏを中心とする円環形状に形成され、光軸Ｏと直交する面に沿って配置される。後側マウント３１０は、カメラボディ２にテレコンバータ３を装着した際に、ボディ側マウント２１０の基準面２１１と接触する基準面３１１を有する。基準面３１１は、光軸Ｏを中心とする円環形状であり、光軸Ｏと直交する面に沿って配置される。基準面３１１の光軸Ｏ方向後端面には、後述するロックピン２１４が装着中状態で摺動されるロックピン用摺動面３０９が、Ｚ方向に沿った断面上で−Ｚ方向に向かって基準面３１１から凹形状に形成されている。ロックピン用摺動面３０９は、光軸Ｏを中心とする円環形状の少なくとも一部であり、光軸Ｏを直交する面に沿って配置される。
【００４４】
後側マウント３１０は、テレコンバータ３の内部に配置される固定部材に対してビス３１３を用いてビス止めすることにより固定される。後側マウント３１０をカメラボディ２側から見た場合、ビス３１３は光軸Ｏ周りに略９０度間隔で配置されている。また、４つのビス３１３は後述する４つの後側爪部３９０の外周にそれぞれ配置されている。また、２つのビス３１３は後側端子保持部３２０の周方向における両端部の外周に配置されている。
【００４５】
後側マウント３１０は、その内周縁部（基準面３１１の内周縁部）から光軸Ｏ方向に延びた円筒部３１２を有する。カメラボディ２にテレコンバータ３を装着した際に、円筒部３１２の光軸Ｏ方向後端は、基準面３１１よりもカメラボディ２側に突出する方向に位置する。後側マウント３１０は、円筒部３１２の光軸Ｏ方向の後端部の外周に沿って互いに間隔を置いて後側第１爪部３９０ａ、後側第２爪部３９０ｂ、後側第３爪部３９０ｃ、および後側第４爪部３９０ｄを有する。
以下の説明において、これら４つの突出部である後側第１爪部３９０ａ〜第４爪部３９０ｄを、後側爪部３９０と総称する。
【００４６】
後側爪部３９０は、後側マウント３１０の円筒部３１２の外周縁部から後側マウント３１０の外周方向に向かって突出する方向に設けられ、光軸Ｏに対して略直交する。また、後側爪部３９０は、光軸Ｏを中心とした円周方向に延在する。図６および図７に示すように、後側第１爪部３９０ａは左上の位置に、後側第２爪部３９０ｂは右上の位置に、後側第３爪部３９０ｃは右下の位置に、後側第４爪部３９０ｄは左下の位置に、それぞれ配置される。つまり、後側第１爪部３９０ａはテレコン側第２直線Ｌ２より上側でかつテレコン側第１直線Ｌ１の左側の領域に、後側第２爪部３９０ｂはテレコン側第２直線Ｌ２より上側でかつテレコン側第１直線Ｌ１の右側の領域に、後側第３爪部３９０ｃはテレコン側第２直線Ｌ２より下側でかつテレコン側第１直線Ｌ１の右側の領域に、後側第４爪部３９０ｄはテレコン側第２直線Ｌ２より下側でかつテレコン側第１直線Ｌ１の左側の領域に、それぞれ配置される。
【００４７】
また、後側第１爪部３９０ａと後側第３爪部３９０ｃは、テレコン側第３直線Ｌ３の線上であって光軸Ｏを中心にして略対象となる領域に、後側第２爪部３９０ｂと後側第４爪部３９０ｄは、テレコン側第４直線Ｌ４の線上であって光軸Ｏを中心として略対象となる領域に、それぞれ配置される。
なお、テレコン側第３直線Ｌ３、テレコン側第４直線Ｌ４は、後側第１爪部３９０ａ〜後側第４爪部３９０ｄそれぞれの円周方向に沿った中心位置を通るとは限らない。
【００４８】
カメラボディ２にテレコンバータ３を装着した際、光軸Ｏ方向において、後側マウント３１０と後側爪部３９０との間にはボディ側爪部２９０が配置される。この際、後側第１爪部３９０ａはボディ側第１爪部２９０ａの板バネ２１３ａに接触し、後側第２爪部３９０ｂはボディ側第２爪部２９０ｂの板バネ２１３ｂに接触し、後側第３爪部３９０ｃはボディ側第３爪部２９０ｃの板バネ２１３ｃに接触し、後側第４爪部３９０ｄはボディ側第４爪部２９０ｄの板バネ２１３ｄに接触する。
【００４９】
ボディ側爪部２９０の板バネ２１３と後側爪部３９０とが接触すると、後側爪部３９０は、板バネ２１３から光軸Ｏに沿ってボディ側爪部２９０から離れる方向（＋Ｚ方向）に押し付けられる。後側爪部３９０が＋Ｚ方向（撮像素子２７０側）に押し付けられることにより、後側マウント３１０はボディ側マウント２１０に向かって押し付けられ、カメラボディ２とテレコンバータ３との装着が安定する。
【００５０】
図７に示すように、後側第１爪部３９０ａ〜後側第４爪部３９０ｄの円周方向の長さは、それぞれ異なっている。また、後側第１爪部３９０ａ〜後側第４爪部３９０ｄの円周方向の一端と光軸Ｏとを結ぶ直線と後側第１爪部３９０ａ〜後側第４爪部３９０ｄの円周方向の他端と光軸Ｏとを結ぶ直線とのなす角度は、それぞれ異なっている。具体的には、後側第３爪部３９０ｃが最も長く、後側第１爪部３９０ａが２番目に長く、後側第４爪部３９０ｄが３番目に長く、後側第２爪部３９０ｂが最も短い。
後側第３爪部３９０ｃの一端と光軸Ｏとを結ぶ直線と、後側第３爪部３９０ｃの他端と光軸Ｏとを結ぶ直線とのなす角度α７は約４８．５度であり、４８．０度から４９．０度の間である。
後側第１爪部３９０ａの一端と光軸Ｏとを結ぶ直線と、後側第１爪部３９０ａの他端と光軸Ｏとを結ぶ直線とのなす角度α５は約４８度であり、４７．５度から４８．５度の間である。
【００５１】
後側第４爪部３９０ｄの一端と光軸Ｏとを結ぶ直線と、後側第４爪部３９０ｄの他端と光軸Ｏとを結ぶ直線とのなす角度α８は約４４度であり、４３．０度から４５．０度の間である。
後側第２爪部３９０ｂの一端と光軸Ｏとを結ぶ直線と、後側第２爪部３９０ｂの他端と光軸Ｏとを結ぶ直線とのなす角度α６は約３６度であり、３５．５度から３６．５度の間である。
なお、後側第２爪部３９０ｂの一端と光軸Ｏとを結ぶ直線と、後側第２爪部３９０ｂの他端と光軸Ｏとを結ぶ直線とのなす角度α６は、後述する回転角度より小さい。
【００５２】
後側第１爪部３９０ａ〜後側第４爪部３９０ｄの径方向の長さ（爪部の高さ）は、略同一である。また、後側第１爪部３９０ａ〜後側第４爪部３９０ｄの光軸Ｏ方向の長さ（爪部の厚み）は、略同一である。
【００５３】
後側爪部３９０は、円筒部３１２の外周から径方向外側に向かって突出し、円筒部３１２の外周上には、後側爪部３９０が存在する部分と、後側爪部３９０が存在しない空間部分がある。
【００５４】
以下の説明において、円筒部３１２の外周上における、後側第１爪部３９０ａと後側第４爪部３９０ｄとの間の空間３８０ｄを後側第１挿抜部３８０ａと称する。
同様に、後側第１爪部３９０ａと後側第２爪部３９０ｂとの間の空間３８０ｂを後側第２挿抜部３８０ｂと、後側第２爪部３９０ｂと後側第３爪部３９０ｃとの間の空間３８０ｃを後側第３挿抜部３８０ｃと、後側第３爪部３９０ｃと後側第４爪部３９０ｄとの間の空間３８０ｄを後側第４挿抜部３８０ｄと、それぞれ称する。
これら４つの後側第１挿抜部３８０ａ〜第４挿抜部３８０ｄを、後側挿抜部３８０と総称する。
【００５５】
後側第１挿抜部３８０ａ〜後側第４挿抜部３８０ｄの円周方向の長さは、それぞれ異なっている。具体的には、後側第２挿抜部３８０ｂが最も長く、後側第１挿抜部３８０ａが２番目に長く、後側第４挿抜部３８０ｄが３番目に長く、後側第３挿抜部３８０ｃが最も短い。
後側第２挿抜部３８０ｂの一端と光軸Ｏとを結ぶ直線と、後側第２挿抜部３８０ｂの他端と光軸Ｏとを結ぶ直線とのなす角度β６は約５０度であり、４９．５度から５０．５度の間である。
後側第１挿抜部３８０ａの一端と光軸Ｏとを結ぶ直線と、後側第１挿抜部３８０ａの他端と光軸Ｏとを結ぶ直線とのなす角度β５は約４５度であり、４４．５度から４５．５度の間である。
【００５６】
後側第４挿抜部３８０ｄの一端と光軸Ｏとを結ぶ直線と、後側第４挿抜部３８０ｄの他端と光軸Ｏとを結ぶ直線とのなす角度β８は約４４．５度であり、４４．０度から４５．０度の間である。
後側第３挿抜部３８０ｃの一端と光軸Ｏとを結ぶ直線と、後側第３挿抜部３８０ｃの他端と光軸Ｏとを結ぶ直線とのなす角度β７は約４４度である。４３．５度から４４．５度の間である。
全ての後側爪部の角度α５〜α８と、全ての後側挿抜部の角度β５〜β８とを合計した値は３６０度である。
【００５７】
また、後側第１挿抜部３８０ａと後側第３挿抜部３８０ｃは、テレコン側第２直線Ｌ２の線上であって光軸Ｏを挟むように配置され、後側第２挿抜部３８０ｂと後側第４挿抜部３８０ｄは、テレコン側第１直線Ｌ１の線上であって光軸Ｏを挟むように配置される。
なお、テレコン側第１直線Ｌ１とテレコン側第２直線Ｌ２は、後側第１挿抜部３８０ａ〜後側第４挿抜部３８０ｄの円周方向に沿った中心位置を通るとは限らない。
【００５８】
円筒部３１２の内側には、複数の後側端子からなる後側端子保持部３２０が設けられる。後側端子保持部３２０は、環状の後側マウント３１０の形状に対応する円弧状の形状を有する。後側端子保持部３２０は、後側マウント３１０の開口に並行して、後側マウント３１０の上部に配置され、図６および図７に示すように上部の中央に配置することが好ましい。つまり、後側端子保持部３２０の周方向における中心は、直線Ｂ１０上に位置するのが好ましい。
【００５９】
後側端子保持部３２０の左上には後側第１爪部３９０ａが配置され、後側端子保持部３２０の右上には後側第２挿抜部３８０ｂが配置される。よって、後側端子保持部３２０の一端と光軸Ｏとを結ぶ直線と、後側端子保持部３２０の他端と光軸Ｏとを結ぶ直線とのなす角度は、後側第１爪部３９０ａの角度α５と後側第２挿抜部３８０ｂの角度β６とを合わせた角度より小さい。
【００６０】
後側端子保持部３２０は、上述したように複数の後側端子を有する。複数の後側端子（後側端子群と称する）は、後側端子保持部３２０に、後側マウント３１０の内側に一列に並べて円弧状に配置される。後側端子群は、それぞれ導電性の接触面が＋Ｚ方向（図１）に向かって露出するように配置される。
【００６１】
複数の後側端子の全ての接触面は、後側爪部３９０の光軸Ｏ方向後端より＋Ｚ方向に位置してもよく、後側爪部３９０の光軸Ｏ方向後端より‐Ｚ方向に位置してもよい。
また、複数の後側端子の一部の接触面を、後側爪部３９０の光軸Ｏ方向後端より＋Ｚ方向に位置してもよく、残りの接触面を後側爪部３９０の光軸Ｏ方向後端より‐Ｚ方向に位置してもよい。
【００６２】
後側マウント３１０は、ロックピン受部３１４を有する。ロックピン受部３１４は、図６および図７に示すように、後側第４爪部３９０ｄの左上に配置される。つまり、ロックピン受部３１４は、後側マウント３１０のロックピン用摺動面３０９のうち後側第１爪部３９０ａの外周側に対応する部分と後側第４爪部３９０ｄの外周側に対応する部分の間に配置されている。
【００６３】
ロックピン受部３１４は、テレコンバータ３をカメラボディ２に装着した際にカメラボディ２のロックピン２１４が収まる溝である。この溝は、後側マウント３１０のロックピン用摺動面３０９から−Ｚ方向（図１）に向かって凹形状に設けられている。
カメラボディ２のロック解除ボタンが押されていない状態で、ロックピン２１４の−Ｚ方向端部（被写体側の前端）は、後側マウント３１０のロックピン受部３１４に収まる。また、カメラボディ２のロック解除ボタンが押されている状態では、ロックピン２１４の−Ｚ方向端部は、ロックピン用摺動面３０９より＋Ｚ方向に位置する。従って、カメラボディ２のロック解除ボタンを押しながらテレコンバータ３とカメラボディ２とを相対回転させるときは、ロックピン２１４はロックピン用摺動面３０９に接触しない。
【００６４】
カメラボディ２にテレコンバータ３が装着されると、複数のボディ側端子がそれぞれ対応する複数の後側端子に物理的に接触する。この接触により、複数のボディ側端子と複数の後側端子とが電気的に接続される。すなわち、複数のボディ側端子と複数の後側端子とが電気的に導通する。
【００６５】
図８に示すように、後側マウント３１０の基準面３１１と後側第４爪部３９０ｄとの間には、円筒部３１２の外周面から突出する方向に制限ピン３１５が配置されている。制限ピン３１５は、後側第４爪部３９０ｄの装着方向４４の後端側（後側第３爪部３９０ｃに近い位置）に配置されている。制限ピン３１５の一部は、後側第４爪部３９０ｄをテレコンバータ３の後ろ（像側）から見た際に、後側第４爪部３９０ｄの裏側に配置されている。
なお、本実施形態では制限ピン３１５にネジ部材を用いて円筒部３１２に径方向外側からねじ止めしているが、制限ピン３１５の形状や材質はこの限りではない。
【００６６】
（テレコンバータ３の前側マウント４１０）
図９、図１０は、被写体側から見たテレコンバータ３の前側（被写体側、対応レンズ５装着側）のマウントを模式的に示す図である。テレコンバータ３の前側マウント４１０は、ボディ側マウント２１０とは突起４１５（後述）がある点が相違している。
【００６７】
テレコンバータ３の前側のマウントは、前側マウント４１０、前側端子保持部４２０、基準面４１１、開口４１２、ロックピン４１４、前側挿抜部４８０、前側爪部４９０を備える。前側マウント４１０、前側端子保持部４２０、基準面４１１、開口４１２は、ボディ側マウント２１０のボディ側マウント部２１０、ボディ側端子保持部２２０、基準面２１１、開口２１２、ロックピン２１４と略同等である。前側端子保持部４２０は、複数の前側端子（以下、「前側端子群」とする）を有する。前側端子群は、テレコン側制御／通信部３３０などに接続されている。
また、図９のテレコン側基準線Ｂ５〜Ｂ８は、ボディ側マウント２１０のボディ側基準線Ｂ１〜Ｂ４と同様である。
【００６８】
前側マウント４１０は、内径から光軸Ｏに向けてそれぞれ突出する突出部としての、前側第１爪部４９０ａ、前側第２爪部４９０ｂ、前側第３爪部４９０ｃおよび前側第４爪部４９０ｄを有する。以下の説明において、これら４つの突出部である前側第１爪部４９０ａ〜第４爪部４９０ｄを、前側爪部４９０と総称する。前側爪部４９０は、ボディ側爪部２９０と同様である。
【００６９】
前側マウント４１０は、内径から光軸Ｏに向けて突出する突起４１５を有する。突起４１５は、前側マウント４１０の円形の開口４１２に沿って、前側第２爪部４９０ｂと前側第３爪部４９０ｃとの間で間隔を空けて配置される。図９に示すように、突起４１５は、テレコン側第２直線Ｂ６より少なくとも一部が下側でかつテレコン側第１直線Ｂ５の左側の領域に配置される。突起４１５の円周方向の長さは、前側爪部４９０のいずれかよりも短い。
【００７０】
前側爪部４９０および突起４１５は、前側マウント４１０の開口４１２から光軸Ｏに向かって突出し、開口４１２の円周上には、前側爪部４９０および突起４１５が存在しない部分がある。開口４１２の円周上における、前側第１爪部４９０ａと前側第４爪部４９０ｄとの間の空間を前側第１挿抜部４８０ａと称する。
同様に、前側第１爪部４９０ａと前側第２爪部４９０ｂとの間の空間を前側第２挿抜部４８０ｂ、前側第２爪部４９０ｂと突起４１５との間の空間を前側第３挿抜部４８０ｃ、突起４１５と前側第３爪部４９０ｃとの間の空間を前側第４挿抜部４８０ｄ、前側第３爪部４９０ｃと前側第４爪部４９０ｄとの間の空間を前側第５挿抜部４８０ｅと、それぞれ称する。これら５つの空間である前側第１挿抜部４８０ａ〜第５挿抜部４８０ｅを、前側挿抜部４８０と総称する。前側第１挿抜部４８０ａ、前側第２挿抜部４８０ｂ、前側第５挿抜部４８０ｅは、ボディ側第１挿抜部２８０ａ、ボディ側第２挿抜部２８０ｂ、ボディ側第４挿抜部２８０ｄと同様である。
【００７１】
前側第１挿抜部４８０ａ〜前側第５挿抜部４８０ｅの円周方向の長さは、それぞれ異なっている。具体的には、前側第１挿抜部４８０ａが最も長く、前側第５挿抜部４８０ｅが２番目に長く、前側第２挿抜部４８０ｂが３番目に長く、前側第４挿抜部４８０ｄが４番目に長く、前側第３挿抜部４８０ｃが最も短い。
【００７２】
突起４１５の一端と光軸Ｏとを結ぶ直線と、突起４１５の他端と光軸Ｏとを結ぶ直線とのなす角度α１１は約８度であり、５度から１０度の間である。突起４１５の一端と光軸Ｏとを結ぶ直線と、前側第２爪部４９０ｂの他端と光軸Ｏとを結ぶ直線とのなす角度β１１は約１２度であり、１０度から１４度の間である。突起４１５の他端と光軸Ｏとを結ぶ直線と、前側第３爪部４９０ｃの一端と光軸Ｏとを結ぶ直線とのなす角度β１２は約３０度であり、２８度から３２度の間である。
全ての前側爪部４９０および突起の角度α９〜α１３と、全ての前側挿抜部４８０の角度β９〜β１３とを合計した値は３６０度である。
【００７３】
前側マウント４１０を撮像素子側（像側）からみた模式図は図２２である。図２２は、図９、図１０とは左右が逆である。前側爪部４９０と対応した位置（前側爪部４９０の像側）には、板バネ４１３が設けられる。板バネ４１３は、ボディ側マウント２１０に設けられる板バネ２１３と略同じであるが、対応レンズ５を装着できれば適宜変更可能である。板バネ４１３が後述の対応レンズ５のレンズ側爪部５９０を付勢する箇所を点線の領域で示す。突起部４１５は、装着完了時に後述の対応マウント５１０のレンズ側爪部５１０が対抗しないので、像側に板バネ４１３が配置されていない。
【００７４】
（対応レンズ５の対応マウント５１０）
図１１、図１２は、対応レンズ５の対応マウント５１０を像側から見た模式図である。対応マウント５１０は、装着時に前側マウント４１０の突起４１５を通過させる切欠きを設けた点が、非対応レンズ６の非対応マウント６１０やテレコンバータ３の後側マウント３１０と相違している。図１１のレンズ側基準線Ｌ５〜Ｌ８は、テレコンバータ３の後側マウント３１０のテレコン側基準線Ｌ１〜Ｌ４と同様である。
【００７５】
対応レンズ５の像側のマウントは、対応マウント５１０、レンズ側端子保持部５２０、基準面５１１、ロックピン用摺動面５０９、ビス５１３、円筒部５１２、ロックピン受部５１４、レンズ側爪部５９０、レンズ側挿抜部５８０を備える。レンズ側端子保持部５２０、基準面５１１、ロックピン用摺動面５０９、ビス５１３、円筒部５１２、ロックピン受部５１４は、後側マウント３１０の後側端子保持部３２０、基準面３１１、ロックピン用摺動面３０９、ビス３１３、円筒部３１２、ロックピン受部３１４と略同等である。レンズ側端子保持部５２０は、複数のレンズ側端子（以下、「レンズ側端子群とする」を有する。レンズ側端子群は、レンズ側ＣＰＵ５３０などに接続されている。
【００７６】
対応レンズ５の像側のマウントは、テレコンバータ３に対応レンズ５を装着した際に、光軸Ｏ方向において、前側マウント４１０と前側爪部４９０との間に配置されるレンズ側爪部５９０を備える。また、対応レンズ５の像側のマウントは、テレコンバータ３に対応レンズ５を装着する際に、対応するレンズ側爪部５９０を通過させるレンズ側挿抜部５８０を備える。
【００７７】
レンズ側爪部５９０の数およびレンズ側挿抜部５８０の数は、それぞれ少なくとも２つ以上であり、本実施形態ではそれぞれ５つである。レンズ側爪部５９０の数およびレンズ側挿抜部５８０の数は、それぞれ４つ以上とすると、円筒部３１２の径を大きくしても十分な強度が得られるので好ましい。本実施形態では、ロックピン受部５１４側の内周の位置から円筒部５１２の周方向に沿って順に、レンズ側第１挿抜部５８０ａ、レンズ側第１爪部５９０ａ、レンズ側第２挿抜部５８０ｂ、レンズ側第２爪部５９０ｂ、レンズ側第３挿抜部５８０ｃ、レンズ側第３爪部５９０ｃ、レンズ側第４挿抜部５８０ｄ、レンズ側第４爪部５９０ｄ、レンズ側第５挿抜部５８０ｅ、レンズ側第５爪部５９０ｅが配置されている。
【００７８】
テレコンバータ３に対応レンズを装着すると、レンズ側第３爪部５９０ｃ以外の４つのレンズ側爪部５９０は、前側マウント４１０の各板バネ４１３にそれぞれ接触する。板バネ４１３と上記４つの各レンズ側爪部５９０とが接触すると、上記４つのレンズ側爪部５９０は、前側爪部４９０から離れる方向に板バネ４１３により押し付けられる。それにより、上記４つのレンズ側爪部５９０は前側マウント４１０に押し付けられ、テレコンバータ３と対応レンズ５との装着が安定する。
【００７９】
図１１に示すように、各レンズ側爪部５９０の円周方向の長さは、それぞれ異なっている。つまり、各レンズ側爪部５９０の円周方向の一端と光軸Ｏを結ぶ直線および他端と光軸Ｏを結ぶ直線のなす角度は、それぞれ異なっている。具体的には、レンズ側第１爪部５９０ａが最も長く、レンズ側第５爪部５９０ｅが２番目に長く、レンズ側第２爪部５９０ｂが３番目に長く、レンズ側第４爪部５９０ｄが４番目に長く、レンズ側第３爪部５９０ｃが最も短い。各レンズ側爪部５９０の円周方向の長さは、テレコンバータ３に対応レンズ５を装着した際に、板バネ４１３からの付勢力を受けることができればよく、前側マウント４１０に対応マウント５１０を挿入する際に後述の誤装着位置で前側爪部４９０の少なくとも２つに当接するのが好ましい。
【００８０】
レンズ側第１爪部５９０ａの一端と光軸Ｏとを結ぶ直線と、レンズ側第１爪部５９０ａの他端と光軸Ｏとを結ぶ直線とのなす角度α１４は約４８度であり、４６度から５０度の間である。
レンズ側第２爪部５９０ｂの一端と光軸Ｏとを結ぶ直線と、レンズ側第２爪部５９０ｂの他端と光軸Ｏとを結ぶ直線とのなす角度α１５は約３６度であり、３４度から３８度の間である。なお、角度α６は、回転角度より小さい。
レンズ側第３爪部５９０ｃの一端と光軸Ｏとを結ぶ直線と、レンズ側第３爪部５９０ｃの他端と光軸Ｏとを結ぶ直線とのなす角度α１６は約９．５度であり、７．５度から１１．５度の間である。
レンズ側第４爪部５９０ｄの一端と光軸Ｏとを結ぶ直線と、レンズ側第４爪部５９０ｄの他端と光軸Ｏとを結ぶ直線とのなす角度α１７は約２９度であり、２７度から３１度の間である。
レンズ側第５爪部５９０ｅの一端と光軸Ｏとを結ぶ直線と、レンズ側第５爪部５９０ｅの他端と光軸Ｏとを結ぶ直線とのなす角度α１８は約４３度であり、４１度から４５度の間である。
【００８１】
レンズ側第１爪部５９０ａ〜レンズ側第５爪部５９０ｅの径方向の長さ（爪部の高さ）は、略同一である。また、レンズ側第１爪部５９０ａ〜レンズ側第５爪部５９０ｅの光軸Ｏ方向の長さ（爪部の厚み）は、略同一である。なお、レンズ側第３爪部５９０ｃは、装着完了時に板バネ４１３からの付勢力を受けないので、後述の誤挿入時に破損しない程度であれば、他のレンズ側爪部と比べて高さおよび厚みを小さくするものとしてもよい。
レンズ側第１挿抜部５８０ａ〜レンズ側第５挿抜部５８０ｅの円周方向の長さは、それぞれ異なっている。具体的には、レンズ側第２挿抜部５８０ｂが最も長く、レンズ側第１挿抜部５８０ａ、レンズ側第３挿抜部５８０ｃ、レンズ側第５挿抜部５８０ｅが略同等であり、レンズ側第４挿抜部５８０ｄが最も短い。各レンズ側挿抜部５８０の円周方向の長さは、前側マウント４１０に対応マウント５１０を挿入する際に前側爪部４９０を通過させることができれば適宜変更可能である。
【００８２】
レンズ側第１挿抜部５８０ａの一端と光軸Ｏとを結ぶ直線と、レンズ側第１挿抜部５８０ａの他端と光軸Ｏとを結ぶ直線とのなす角度β１４は約４５度であり、４７度から５２度の間である。
レンズ側第２挿抜部５８０ｂの一端と光軸Ｏとを結ぶ直線と、レンズ側第２挿抜部５８０ｂの他端と光軸Ｏとを結ぶ直線とのなす角度β１５は約４９．５度であり、４８度から５１度の間である。
レンズ側第３挿抜部５８０ｃの一端と光軸Ｏとを結ぶ直線と、レンズ側第３挿抜部５８０ｃの他端と光軸Ｏとを結ぶ直線とのなす角度β１６は約４４度であり、４２度から４６度の間である。
レンズ側第４挿抜部５８０ｄの一端と光軸Ｏとを結ぶ直線と、レンズ側第４挿抜部５８０ｄの他端と光軸Ｏとを結ぶ直線とのなす角度β１７は約１０度であり、８度から１１度の間である。なお、角度β１７は、突起４１５の角度α１１より大きければ適宜変更可能である。
レンズ側第５挿抜部５８０ｅの一端と光軸Ｏとを結ぶ直線と、レンズ側第５挿抜部５８０ｅの他端と光軸Ｏとを結ぶ直線とのなす角度β１８は約４４．５度であり、４２．５度から４６．５度の間である。
全てのレンズ側爪部５９０の角度α１４〜α１８と、全てのレンズ側挿抜部５８０の角度β１４〜β１８とを合計した値は３６０度である。
【００８３】
また、レンズ側第１爪部５９０ａは、レンズ側第３爪部５９０ｃの少なくとも一部とレンズ側第４挿抜部５８０ｄとレンズ側第４爪部５９０ｄの少なくとも一部と、レンズ側第３直線Ｌ７の線上であって光軸Ｏを挟むように配置される。
レンズ側端子保持部５２０の左上にはレンズ側第１爪部５９０ａが配置され、レンズ側端子保持部５２０の右上にはレンズ側第２挿抜部５８０ｂが配置される。よって、レンズ側端子保持部５２０の一端と光軸Ｏとを結ぶ直線と、レンズ側端子保持部５２０の他端と光軸Ｏとを結ぶ直線とのなす角度は、レンズ側第１爪部５９０ａの角度α１４とレンズ側第２挿抜部５８０ｂの角度β１５とを合わせた角度より小さい。
図８に示すように、対応マウント５１０の基準面５１１とレンズ側第５爪部５９０ｅとの間には、円筒部５１２の外周面から突出する方向に制限ピン５（不図示）が配置されている。この制限ピンは、図８にしめす後側マウント３１０の制限ピン３１５と略同等である。
【００８４】
（非対応レンズ６の非対応マウント６１０）
非対応レンズ６の像側のマウントは、テレコンバータ３の後側のマウントと略同等であり、非対応マウント６１０の他に、基準面、ロックピン用摺動面、ビス、円筒部、挿抜部、爪部を備える。非対応レンズ６の基準面、ロックピン用摺動面、ビス、円筒部、挿抜部、爪部は、テレコンバータ３の後側のマウントと略同等であり図示省略する。非対応レンズ６の像側のマウントは、テレコンバータ３の後側のマウントと略同等であり、後述するカメラボディ２への装着方法、取り外し方法、誤挿入防止方法も同じである。非対応マウント６１０は、後側端子保持部３２０と略同じ形状の端子保持部を備える。非対応マウント６１０の端子保持部は、複数のレンズ側端子群を備え、カメラボディ２に装着された際にボディ側マウント２１０のボディ側端子群と接触し、電気的に導通する。非対応レンズ６１０のレンズ側端子群は、レンズ側ＣＰＵ６４０と接続されている。
【００８５】
ここで、ボディ側爪部２９０、後側爪部３９０、前側爪部４９０、レンズ側爪部５９０を総称して爪部とし、ボディ側挿抜部２８０、後側挿抜部３８０、前側挿抜部４８０、レンズ側挿抜部５８０を総称して挿抜部とする。
【００８６】
（カメラボディ２へのテレコンバータ３の装着方法）
次に、図１３、図１４を参照して、カメラボディ２へのテレコンバータ３の装着方法について説明する。図１３、図１４は、カメラボディ２のボディ側爪部２９０とテレコンバータ３の後側爪部３９０との位置関係を示す図であり、爪部同士の当接状態がわかるようにしたものである。また、図１３、図１４は、ボディ側マウント２１０と後側マウント３１０とを、被写体側から撮像素子２７０側に向かって見た（＋Ｚ方向に見た）図であり、後側マウント３１０は図６、図７と左右が反転している。
【００８７】
テレコンバータ３をカメラボディ２に取り付ける際、まず、テレコンバータ３の外周面に付された指標（不図示）とカメラボディ２の外装面に付された指標（不図示）との位置を合わせ、ボディ側マウント２１０と後側マウント３１０とを対向させて、各ボディ側挿抜部２８０に各後側爪部３９０を挿入する。つまり、図１３に示すように、後側第１爪部３９０ａをボディ側第１挿抜部２８０ａに挿入し、後側第２爪部３９０ｂをボディ側第２挿抜部２８０ｂに挿入し、後側第３爪部３９０ｃをボディ側第３挿抜部２８０ｃに挿入し、後側第４爪部３９０ｄをボディ側第４挿抜部２８０ｄに挿入する。このとき、ボディ側第１爪部２９０ａは後側第２挿抜部３８０ｂに挿入され、ボディ側第２爪部２９０ｂは後側第３挿抜部３８０ｃに挿入され、ボディ側第３爪部２９０ｃは後側第４挿抜部３８０ｄに挿入され、ボディ側第４爪部２９０ｄは後側第１挿抜部３８０ａに挿入される。この際のカメラボディ２に対するテレコンバータ３の位置を挿入位置と称する。
【００８８】
上記の挿入位置から、テレコンバータ３を図１３に示す装着方向４４に回転させる。装着方向４４は光軸Ｏと略直交する面内において、光軸Ｏを中心とする円周方向に沿った方向である。テレコンバータ３の回転に伴い、後側第１爪部３９０ａと基準面３１１との間の空間にボディ側第１爪部２９０ａおよび板バネ２１３ａが進入する。
【００８９】
すなわち、後側第１爪部３９０ａがボディ側第１爪部２９０ａの撮像素子２７０側（＋Ｚ側）に進入し、後側第１爪部３９０ａが板バネ２１３ａの撮像素子２７０側（＋Ｚ側）に対向する。あわせて、後側第１爪部３９０ａと基準面３１１との間の空間にボディ側第１爪部２９０ａおよび板バネ２１３ａが進入する。同様に、後側第２爪部３９０ｂと基準面３１１との間の空間にボディ側第２爪部２９０ｂおよび板バネ２１３ｂが進入し、後側第３爪部３９０ｃと基準面３１１との間の空間にボディ側第３爪部２９０ｃおよび板バネ２１３ｃが進入し、後側第４爪部３９０ｄと基準面３１１との間の空間にボディ側第４爪部２９０ｄおよび板バネ２１３ｄが進入する。このとき、後側端子群は、ボディ側端子群と順に接触していく。
なお、テレコンバータ３をカメラボディ２に対して装着方向４４に回転させることとしたが、カメラボディ２をテレコンバータ３に対して装着方向４４と反対方向に回転させてもよい。
【００９０】
図１４は、図１３の挿入位置からテレコンバータ３をカメラボディ２に対して装着方向４４に第１角度回転させた図であり、テレコンバータ３をカメラボディ２に装着完了した状態を示す。このときのテレコンバータ３の位置を装着位置という。第１角度は、本実施形態では約４０度であり、３８．５度から４１．５度である。
【００９１】
装着位置において、カメラボディ２のロックピン２１４は−Ｚ方向へ押されてテレコンバータ３のロックピン受部３１４に進入する。ロックピン２１４がロックピン受部３１４に進入すると、テレコンバータ３はカメラボディ２に対して取り外すための回転を規制する。つまり、各ボディ側爪部２９０および各後側爪部３９０が装着位置に到達すると、ボディ側マウント２１０と後側マウント３１０との周方向における相対位置が定まる。
【００９２】
また、後側爪部３９０は板バネ２１３によって撮像素子２７０側（＋Ｚ方向）に押され、後側マウント３１０の基準面３１１がボディ側マウント２１０の基準面２１１と接触する。後側マウント３１０がボディ側マウント２１０と面接触し、かつ、板バネ２１３により付勢されることにより、テレコンバータ３とカメラボディ２とが強固に装着される。
装着位置において、複数の後側端子の各々は、それぞれ対応する複数のボディ側端子の各々に接触し、電気的に接続される。
【００９３】
また、図１３の各後側爪部３９０が挿入位置で対応する各ボディ側挿抜部２８０に挿入した状態から図１４の装着位置の直前までの状態を装着中状態と呼ぶ。カメラボディ２のロックピン２１４は−Ｚ方向に押圧されているので、装着中状態のとき、ロックピン２１４の−Ｚ方向端部は後側マウント３１０のロックピン用摺動面３０９と接触する。
【００９４】
テレコンバータ３の回転に伴って、ロックピン２１４の−Ｚ方向端部は、テレコンバータ３のロックピン用摺動面３０９上をスライドする。それゆえ、ロックピン用摺動面３０９のロックピン受部３１４から装着方向４４と逆方向の第１角度範囲には、後側マウント３１０を固定する固定ビスを配置しない。上記逆方向の第１角度範囲に固定ビスを配置しないことにより、ロックピン２１４の−Ｚ方向端部がロックピン用摺動面３０９上でスライドする際に固定ビスに当たることはないので、滑らかにテレコンバータ３を着脱できる。
【００９５】
（カメラボディ２からのテレコンバータ３の取り外し方法）
装着位置において、ユーザーがカメラボディ２の不図示のロック解除ボタンを押下すると、ロックピン２１４がロックピン受部３１４から撮像素子２７０側に退避する。これにより、テレコンバータ３のカメラボディ２に対する回転規制が解除され、ボディ側マウント２１０に対して後側マウント３１０を回転させられるようになる。不図示のロック解除ボタンを押しながらテレコンバータ３をカメラボディ２に対して装着方向４４とは逆の方向（取り外し方向）に回転させると、各後側爪部３９０は、各ボディ側爪部２９０の像側面に対向する位置から各ボディ側挿抜部２８０の位置に移動し、図１３に示す挿入位置に到達する。
【００９６】
（カメラボディ２にテレコンバータ３を装着する際の装着方向の過回転状態の説明）
次に、図１５を参照して、テレコンバータ３をカメラボディ２に対して装着方向４４に第１角度以上回転させた過回転状態について説明する。図１５はカメラボディ２のボディ側第４爪部２９０ｄとテレコンバータ３の後側第４爪部３９０ｄとの位置関係を示す模式図であり、一点鎖線の上部(ａ)は被写体側から撮像素子２７０側に向かって見た図であり、一点鎖線の下部（ｂ）はマウントを側面（外周方向）から見た図である。テレコンバータ３をカメラボディ２に装着する際、ユーザーがロック解除ボタンを押しながらテレコンバータ３を装着方向４４に回転させると、装着位置でロックピン２１４がロックピン受部３１４に進入しない。よって、図１４に示す装着位置からさらにテレコンバータ３をカメラボディ２に対して回転させることができる。テレコンバータ３をカメラボディ２に対して装着位置よりさらに装着方向４４に回転させた場合、制限ピン３１５がボディ側第４爪部２９０ｄの装着方向４４の後端に当接して、テレコンバータ３がそれ以上カメラボディ２に対して回転するのを防止する。
【００９７】
（カメラボディ２からテレコンバータ３を取り外す際の取り外し方向の過回転状態の説明）
次に、図１６を参照して、テレコンバータ３をカメラボディ２対して装着方向４４とは逆方向（取り外し方向）に挿入位置よりも回転させた過回転状態について説明する。図１６は取り外し方向への過回転状態においてレンズマウント機構の一部を側面から見た図である。制限ピン３１５は、後側第４爪部３９０ｄの装着方向４４の後端部に配置されているので、テレコンバータ３をカメラボディ２に対して挿入した後にユーザーが逆回転させようとすると、制限ピン３１５はボディ側第３爪部２９０ｃの装着方向４４の先端に当接して、テレコンバータ３がそれ以上カメラボディ２に対して取り外し方向に回転するのを防止する。
【００９８】
このように、制限ピン３１５は、ボディ側爪部２９０の周方向端部に当接することにより、装着方向４４の過回転と取り外し方向の過回転との両方を防止する。制限ピン３１５は、装着方向４４の過回転と取り外し方向の過回転との両方を防止するので、装着方向４４の過回転を防止する部材と取り外し方向の過回転を防止する部材との２つを用意する必要がない。
また、制限ピン３１５はボディ側爪部２９０の周方向端部を利用して過回転を防止するので、過回転時に制限ピン３１５に当接する部材を別途設ける必要がない。
【００９９】
（カメラボディ２に対するテレコンバータ３の誤挿入状態の説明）
次に、テレコンバータ３の指標とカメラボディ２の指標とを合わせずに、ユーザーが誤った位置でテレコンバータ３をカメラボディ２に挿入させようとしてしまう誤挿入状態について説明する。誤挿入状態で後側爪部３９０はボディ側挿抜部２８０を通過しないので、後側爪部３９０とボディ側爪部２９０との光軸Ｏ上の位置関係は、挿入位置での位置関係とは異なる。図１７〜図２０は、カメラボディ２のボディ側爪部２９０とテレコンバータ３の後側爪部３９０との位置関係を示す模式図であり、爪部同士の当接状態がわかるようにしたものである。また、図１７〜図２０は、ボディ側マウント２１０と後側マウント３１０とを、被写体側から撮像素子２７０側に向かって見た（＋Ｚ方向に見た）図であり、後側マウント３１０は図６、図７と左右が反転している。誤挿入状態の例として、テレコンバータ３の指標とカメラボディ２の指標とを挿入位置から取り外し方向に１５度ずれた状態を図１７に示す。また、テレコンバータ３の指標とカメラボディ２の指標とを、挿入位置から９０間隔でずれた状態を図１８〜図２０に示す。
【０１００】
図１７に、挿入位置から取り外し方向に１５度ずれた状態（第１誤挿入状態）を示す。図１７にハッチングで示すように、ボディ側爪部２９０に後側爪部３９０が４つの符号γ１〜γ４に示す部分で当接するので、ボディ側挿抜部２８０に後側爪部３９０が挿入されない。つまり、第１誤挿入状態では、後側爪部３９０とボディ側爪部２９０とが４か所で当接することにより、誤挿入を確実に防止する。
【０１０１】
図１８は、テレコンバータ３の指標とカメラボディ２の指標とを挿入位置から取り外し方向に略９０度ずれた状態（第２誤挿入状態）を示す図である。図１９は、テレコンバータ３の指標とカメラボディ２の指標とを挿入位置から取り外し方向に略１８０度ずれた第３誤挿入状態を示す図である。図２０は、テレコンバータ３の指標とカメラボディ２の指標とを挿入位置から取り外し方向に略２７０度ずれた第４誤挿入状態を示す図である。
【０１０２】
図１８に示すように、第２誤挿入状態の場合、後側第３爪部３９０ｃは、ボディ側第１爪部２９０ａに符号γ５で示す部分が当たるとともにボディ側第２爪部２９０ｂにγ７で示す部分が当たってしまい、ボディ側第２挿抜部２８０ｂに挿入できない。また、後側第１爪部３９０ａは、ボディ側第４爪部２９０ｄに符号γ６で示す部分が当たってしまい、ボディ側第４挿抜部２８０ｄに挿入できない。このように、第２誤挿入状態において、後側爪部３９０はボディ側爪部２９０と３か所で当接して誤挿入を防止する。
【０１０３】
図１９に示すように、第３誤挿入状態の場合、後側第４爪部３９０ｄは、ボディ側第１爪部２９０ａに符号γ８で示す部分が当たってしまい、ボディ側第２挿抜部２８０ｂに挿入できない。また、後側第１爪部３９０ａは、ボディ側第３爪部２９０ｃに符号γ９で示す部分が当たってしまい、ボディ側第１挿抜部２８０ａに挿入できない。このように、第３誤挿入状態において、後側爪部３９０はボディ側爪部２９０と２か所で当接して誤挿入を防止する。
【０１０４】
図２０に示すように、第４誤挿入状態の場合、後側第１爪部３９０ａは、ボディ側第１爪部２９０ａに符号γ１０で示す部分が当たるとともにボディ側第２爪部２９０ｂにγ１１で示す部分が当たってしまい、ボディ側第２挿抜部２８０ｂに挿入できない。また、後側第３爪部３９０ｃは、ボディ側第３爪部２９０ｃに符号γ１２で示す部分が当たってしまい、ボディ側第４挿抜部２８０ｄに挿入できない。このように、第４誤挿入状態において、後側爪部３９０はボディ側爪部２９０と３か所で当接して誤挿入を防止する。
【０１０５】
上記のように、挿入位置以外の誤挿入状態において、後側爪部３９０はボディ側爪部２９０と少なくとも２か所で当接することで、挿入位置以外では後側爪部３９０がボディ側挿抜部２８０へ挿入することが禁止される。したがって、誤挿入位置でテレコンバータ３をカメラボディ２に装着しようとしても、少なくとも２か所で爪部同士が当接することにより、誤挿入を確実に防止できる。
【０１０６】
また、第１誤挿入状態〜第４誤挿入状態において、２か所以上の当接箇所のうち１つは撮像素子２７０の上側に位置する。つまり、誤挿入位置では、ボディ側第１爪部２９０ａの装着方向４４先端側の端部に後側第１爪部３９０ａ〜後側第３爪部３９０ｃのいずれかが当接し、後側第２爪部３９０ｂ以外の後側爪部３９０がボディ側第２挿抜部２８０ｂへ挿入することを防止する。上述したように、ボディ側マウント２１０の開口２１２内であって撮像素子２７０の上部には、ボディ側端子保持部２２０が配置されている。ボディ側端子保持部２２０の上部にはボディ側第１爪部２９０ａがあり、ボディ側第１爪部２９０ａは４つのボディ側爪部２９０のうち最も円周方向の長さが長い。また、ボディ側端子保持部２２０の上部にはボディ側第２挿抜部２８０ｂがあり、ボディ側第２挿抜部２８０ｂは４つのボディ側挿抜部２８０のうち最も短い。それゆえ、ボディ側第２挿抜部２８０ｂには正規の挿入位置で後側第２爪部３９０ｂが挿入されるのみであり、ボディ側第２挿抜部２８０ｂに他の後側第１爪部３９０ａ〜後側第３爪部３９０ｃが誤挿入されることはない。また、ボディ側第２挿抜部２８０ｂに後側第１爪部３９０ａ〜後側第３爪部３９０ｃが傾斜して（光軸Ｏ方向に交差する方向に傾いて）進入することもない。これにより、誤挿入状態で後側爪部３９０ａ〜３９０ｃがボディ側端子保持部２２０にぶつかってボディ側端子を傷つけることを防止している。
【０１０７】
また、ボディ側第１爪部２９０ａは、誤挿入状態において後側爪部３９０のいずれかが当たって誤挿入を防止しているが、ボディ側第１爪部２９０ａは４つの後側爪部３９０のうち最も円周方向の長さが長く耐性が高いので、誤挿入時にボディ側第１爪部２９０ａが破損してしまう可能性も低くできる。また、第２〜４誤挿入状態において、当接箇所のうち少なくとも一つは、ボディ側端子保持部２２０と光軸Ｏを挟んで対向する位置にある。つまり、当接箇所の１つはボディ側端子保持部２２０の近傍であり光軸Ｏを通るボディ側第２直線Ｂ２より上側であるとともに、当接箇所の１つは光軸Ｏを通るボディ側第２直線Ｂ２より下側である。したがって、第２〜４誤挿入状態では当接箇所は２か所または３か所であるが、光軸Ｏを通るボディ側第２直線Ｂ２の上下でそれぞれ当接するので誤挿入の可能性を低くすることができる。また、第２〜４誤挿入状態において、当接箇所のうち少なくとも二つの円周方向における間隔は、約１２０度より大きく確保できるので、誤挿入時にボディ側第２挿抜部２８０ｂに後側第１爪部３９０ａ〜後側第３爪部３９０ｃが傾斜して進入することもない。
【０１０８】
また、第１〜４誤挿入状態において、２か所以上の当接箇所のうち１つは後側端子保持部３２０の外周側に位置する。つまり、誤挿入位置において、後側第１爪部３９０ａの装着方向４４先端側の端部にボディ側第１〜４爪部２９０ａ〜２９０ｄのいずれかが当接する。それゆえ、後側第２挿抜部３８０ｂに他のボディ側第２〜４爪部２９０ｂ〜２９０ｄが誤挿入されることを防止する。上述したように、後側端子保持部３２０の上部には後側第１爪部３９０ａの装着方向４４先端側の端部がある。これにより、後側第１爪部３９０ａがボディ側第１挿抜部２８０ａ以外のボディ側挿抜部２８０ｂ〜２８０ｄを通過してしまい、後側端子保持部３２０にぶつかって後側端子を傷つけることを防止している。また、後側第１爪部３９０ａは、誤挿入状態においてボディ側爪部２９０のいずれかに当たって誤挿入を防止しているが、後側第１爪部３９０ａは４つの後側爪部３９０のうち２番目に円周方向の長さが長く耐性が比較的高いので、誤挿入時に後側第１爪部３９０ａが破損してしまう可能性も低くできる。
【０１０９】
ここで、図１３に示すように、後側第２爪部３９０ｂは、ボディ側第２挿抜部２８０ｂを通過して挿入位置に配置され、装着位置でボディ側第２爪部２９０ｂに対向する。後側第２爪部３９０ｂの角度α６（図７）はボディ側第２挿抜部２８０ｂの角度β２（図４）より小さい。ボディ側第２挿抜部２８０ｂの角度β２は挿入位置から装着位置までの第１角度より小さい。したがって、後側第２爪部３９０ｂを第１角度より小さくすることにより、ボディ側第２挿抜部２８０ｂをより小さくして誤挿入状態で後側第２爪部３９０ｂ以外の他の後側爪部３９０が通過することを防止することができる。特に、後側爪部３９０とボディ側爪部２９０との当接箇所が２か所または３か所になる第２誤挿入状態〜第４誤挿入状態で、後側第２爪部３９０ｂ以外の他の後側爪部３９０ａ、３９０ｃ、３９０ｄがボディ側第２挿抜部２８０ｂを通過することを防止することができる。ボディ側第２挿抜部２９０ｂの内径側にはボディ側端子保持部２２０が配置されているので、上記他の後側爪部３９０ａ、３９０ｃ、３０９ｄが通過するのを防止することにより、当該他の後側爪部３９０や円筒部３１２がボディ側端子保持部２２０にあたってボディ側端子を破損することを防止することもできる。
なお、後側第２爪部３９０ｂの角度α６は、後側第１爪部３９０ａ、後側第３爪部３９０ｃ、後側第４爪部３９０ｄの角度α５、α７、α８より小さくてもよい。ボディ側第２挿抜部２８０ｂの角度β２は、上記後側第１爪部３９０ａ、後側第３爪部３９０ｃ、後側第４爪部３９０ｄの角度α５、α７、α８より小さくてもよい。
【０１１０】
（テレコンバータ３への対応レンズ５の装着方法など）
次に、図２１、図２２を参照して、テレコンバータ３への対応レンズ５の装着方法について説明する。図２１、図２２は、テレコンバータ３の前側爪部４９０と対応レンズ５のレンズ側爪部５９０との位置関係を示す図であり、爪部同士の当接状態がわかるようにしたものである。また、図２１、図２２は、前側マウント４１０と対応マウント５１０とを、撮像素子２７０側から被写体側に向かって見た（-Ｚ方向に見た）図であり、図１３、図１４と左右が反転している。
【０１１１】
対応レンズ５をテレコンバータ３に取り付ける際、まず、対応レンズ５の外周面に付された指標（不図示）とテレコンバータ３の外装面に付された指標（不図示）との位置を合わせ、前側マウント４１０と対応マウント５１０とを対向させて、各前側挿抜部４８０に各レンズ側爪部５９０を挿入する。つまり、図２１に示すように、レンズ側第１爪部５９０ａを前側第１挿抜部４８０ａに挿入し、レンズ側第２爪部５９０ｂを前側第２挿抜部４８０ｂに挿入し、レンズ側第３爪部５９０ｃを前側第３挿抜部４８０ｃに挿入し、レンズ側第４爪部５９０ｄを前側第４挿抜部４８０ｄに挿入し、レンズ側第５爪部５９０ｅを前側第５挿抜部４８０ｅに挿入する。このとき、前側第１爪部４９０ａはレンズ側第２挿抜部５８０ｂに挿入され、前側第２爪部４９０ｂはレンズ側第３挿抜部５８０ｃに挿入され、突起４１５はレンズ側第４挿抜部５８０ｄに挿入され、前側第３爪部４９０ｃはレンズ側第５挿抜部５８０ｅに挿入され、前側第４爪部４９０ｄはレンズ側第１挿抜部５８０ａに挿入される。この際のテレコンバータ３に対する対応レンズ５の位置を挿入位置と称する。
【０１１２】
上記の挿入位置から、対応レンズ５を図２１に示す装着方向４４に回転させる。装着方向４４および装着角（第１角度）はカメラボディ２にテレコンバータ３を装着させる際と同じである。対応レンズ５の回転に伴い、各レンズ側爪部５９０と基準面５１１との間のそれぞれの空間に、各前側爪部４９０および各板バネ４１３が進入する。このとき、レンズ側端子群は、前側端子群と順に接触し、電気的に接続されていく。
図２２は、図２１の挿入位置から対応レンズ５をテレコンバータ３に対して装着方向４４に第１角度回転させた図であり、対応レンズ５をテレコンバータ３に装着完了した状態を示す。このときの対応レンズ５の位置を装着位置という。装着完了状態で、レンズ側第３爪部５９０ｃは、前側第３爪部４９０ｃに対向していない。
【０１１３】
装着位置において、テレコンバータ３のロックピン４１４は−Ｚ方向へ押されて対応レンズ５のロックピン受部５１４に進入する。ロックピン４１４がロックピン受部５１４に進入すると、対応レンズ５はテレコンバータ３に対して取り外すための回転を規制する。つまり、各前側爪部４９０および各レンズ側爪部５９０が装着位置に到達すると、前側マウント４１０と対応マウント５１０との周方向における相対位置が定まる。
【０１１４】
また、レンズ側爪部５９０は板バネ４１３によって撮像素子２７０側（＋Ｚ方向）に押され、対応マウント５１０の基準面５１１が前側マウント４１０の基準面４１１と接触する。対応マウント５１０が前側マウント４１０と面接触し、かつ、板バネ４１３により付勢されることにより、対応レンズ５とテレコンバータ３とが強固に装着される。
【０１１５】
また、図２１の挿入位置から図２２の装着位置までの状態を装着中状態と呼ぶ。テレコンバータ３のロックピン４１４の−Ｚ方向端部は、装着中状態のとき、対応マウント５１０のロックピン用摺動面５０９と接触する。対応レンズ５の回転に伴って、ロックピン４１４の−Ｚ方向端部は、対応レンズ５のロックピン用摺動面５０９上をスライドする。それゆえ、ロックピン用摺動面５０９のロックピン受部５１４から装着方向４４と逆方向の第１角度範囲には、対応マウント５１０を固定する固定ビスを配置しない。上記逆方向の第１角度範囲に固定ビスを配置しないことにより、ロックピン４１４の−Ｚ方向端部がロックピン用摺動面５０９上でスライドする際に固定ビスに当たることはないので、滑らかに対応レンズ５を着脱できる。
【０１１６】
（テレコンバータ３からの対応レンズ５の取り外し方法など）
テレコンバータ３からの対応レンズ５の取り外し方法は、カメラボディ２からテレコンバータ３を取り外す方法と略同等である。テレコンバータ３の不図示のロック解除ボタンを押下し、取り外し方向に対応レンズ５をテレコンバータ３に対して回転させて装着位置から挿入位置に相対回転させる。
テレコンバータ３に対応レンズ５を装着する際の装着方向の過回転状態も、カメラボディ２にテレコンバータ３を装着する際の装着方法の過回転状態と略同等である。対応レンズ５の制限ピンが、前側第第４爪部４９０ｄの装着方向４４の後端に当接し、対応レンズ５がそれ以上テレコンバータ３に対して回転するのを防止する。
テレコンバータ３から対応レンズ５を取り外す際の取り外し方向の過回転状態も、カメラボディ２からテレコンバータ３を取り外す際の取り外し方向の過回転状態と略同等である。対応レンズ５の制限ピンが、前側第３爪部４９０ｃの装着方向４４の先端に当接し、対応レンズ５がそれ以上テレコンバータ３に対して取り外し方向に回転するのを防止する。
【０１１７】
（テレコンバータ３に対する対応レンズ５の誤挿入状態の説明）
次に、対応レンズ５の指標とテレコンバータ３の指標とを合わせずに、ユーザーが誤った位置で対応レンズ５をテレコンバータ３に挿入させようとしてしまう誤挿入状態について説明する。誤挿入状態では、レンズ側爪部５９０は前側挿抜部４８０を通過しない。
図２３〜図２７は、誤挿入状態での前側爪部４９０または突起４１５とレンズ側爪部５９０との当接箇所を点線で示す図である。図２３は、図２１の挿入位置の角度から装着方向４４と逆方向に約９０度ずれた状態（第５誤挿入状態）である。図２４は、第５誤挿入状態から装着方向４４と逆方向に約１０度ずれた状態（第６誤挿入状態）である。図２５は、第６誤挿入状態から装着方向４４と逆方向に約１０度ずれた状態（第７誤挿入状態）である。図２６は、第７誤挿入状態から装着方向４４と逆方向に約７０度ずれた状態（第８誤挿入状態）である。図２７は、第８誤挿入状態から装着方向４４と逆方向に約５度ずれた状態（第９誤挿入状態）である。第５〜第９誤挿入状態では、レンズ側爪部５９０が前側爪部４９０または突起４１５と少なくとも３か所（γ２０、γ２１）で当接することにより、誤挿入を確実に防止する。誤挿入状態において、レンズ側爪部５９０と前側爪部４９０または突起４１５の当接箇所の数は、突起４１５があるため、後側爪部３９０とボディ側爪部２９０の当接箇所の数より多くなる。
上記のように、誤挿入状態において、レンズ側爪部５９０は前側爪部４９０と少なくとも３か所で当接することで、挿入位置以外ではレンズ側爪部５９０が前側挿抜部４８０へ挿入することが禁止される。したがって、誤挿入位置で対応レンズ５をテレコンバータ３に装着しようとしても、少なくとも３か所で爪部同士が当接することにより、誤挿入を確実に防止できる。
【０１１８】
また、誤挿入状態において、当接箇所のうち１つは前側端子保持部２２０より被写体側（-Ｚ方向）であってかつ外周側に位置する。つまり、誤挿入位置では、前側第１爪部４９０ａの装着方向４４先端側の端部または前側第２爪部４９０ｂの装着方向４４後端側の端部の少なくとも一方に、レンズ側爪部５９０のいずれかが当接し、レンズ側第２爪部５９０ｂ以外のレンズ側爪部５８０が前側第２挿抜部４８０ｂへ挿入することを防止し、前側端子保持部２２０を保護する。また、前側第１爪部４９０ａは、誤挿入状態においてレンズ側第２爪部５９０ｂ以外のレンズ側爪部５８０のいずれかが当接するが、前側第１爪部４９０ａは４つのレンズ側爪部４９０のうち最も円周方向の長さが長く耐性が高いので、誤挿入時に前側第１爪部４９０ａが破損してしまう可能性も低くできる。
【０１１９】
また、誤挿入状態において、当接箇所のうち少なくとも一つは、前側端子保持部２２０と光軸Ｏを挟んで対向する位置にある。つまり、当接箇所の１つは前側第２直線Ｂ２より上側であるとともに、当接箇所の１つは光軸Ｏを通る前側第２直線Ｂ２より下側である。したがって、第２〜４誤挿入状態では当接箇所は２か所または３か所であるが、光軸Ｏを通るテレコン側第６直線Ｂ６の上下でそれぞれ当接するので誤挿入の可能性を低くすることができる。また、誤挿入状態において、当接箇所のうち少なくとも二つの円周方向における間隔は、約１２０度より大きく確保でき、誤挿入時に前側第２挿抜部４８０ｂにレンズ側第２爪部５９０ｂ以外のレンズ側爪部５８０のいずれかが傾斜して進入することもない。
【０１２０】
また、誤挿入状態において、当接箇所のうち１つはレンズ側端子保持部５２０の外周側に位置するレンズ側第１爪部５９０ａが当接し、レンズ側第１爪部５９０ａ以外のレンズ側爪部５９０が挿入されてレンズ側端子保持部５２０にぶつかることを防止している。また、レンズ側第１爪部５９０ａは、誤挿入状態において前側爪部４９０のいずれかに当たって誤挿入を防止しているが、レンズ側第１爪部５９０ａは５つのレンズ側爪部５９０のうち１番目に円周方向の長さが長く耐性が比較的高いので、誤挿入時にレンズ側第１爪部５９０ａが破損してしまう可能性も低くできる。
【０１２１】
ここで、図２１に示すように、レンズ側第２爪部５９０ｂは、前側第２挿抜部４８０ｂを通過して挿入位置に配置され、装着位置で前側第２爪部４９０ｂに対向する。レンズ側第２爪部５９０ｂの角度α１４（図１１）は前側第２挿抜部４８０ｂの角度β１０（図１０）より小さい。前側第２挿抜部４８０ｂの角度β１０は挿入位置から装着位置までの第１角度より小さい。したがって、レンズ側第２爪部５９０ｂを第１角度より小さくすることにより、前側第２挿抜部４８０ｂをより小さくして誤挿入状態でレンズ側第２爪部５９０ｂ以外の他のレンズ側爪部５９０が通過することを防止することができる。特に、レンズ側爪部５９０と前側爪部４９０との当接箇所が３か所になる誤挿入状態で、レンズ側第２爪部５９０ｂ以外のレンズ側爪部５９０が前側第２挿抜部４８０ｂを通過することを防止することができる。前側第２挿抜部４９０ｂの内径側には前側端子保持部４２０が配置されているので、上記他のレンズ側爪部５９０が通過するのを防止することにより、当該他のレンズ側爪部５９０や円筒部５１２が前側端子保持部４２０にあたって前側端子を破損することを防止することもできる。
【０１２２】
（テレコンバータ３への非対応レンズ６の装着防止方法）
次に、テレコンバータ３への非対応レンズ６の装着防止方法について説明する。非対応マウント６１０は後側マウント３１０と略同じ形状であり、テレコンバータ３に対して挿入位置で非対応レンズ６を挿入しようとすると、突起４１５が非対応マウント６１０の第３レンズ側爪に当接し、挿入が防止される。
【０１２３】
（カメラボディ２への対応レンズ５または非対応レンズ６の装着方法など）
カメラボディ２へ対応レンズ５または非対応レンズ６を装着する際は、カメラボディ２へテレコンバータ３を装着する際と同様である。ボディ側マウント２１０に対応マウント５１０または非対応マウント６１０を装着させる。ボディ側マウント２１０には突起４１５がないので、ボディ側マウント２１０のボディ側第３挿抜部２８０ｃに対応マウント５１０のレンズ側第３爪部５９０ｃとレンズ側第４爪部５９０ｄとが挿入可能である。また、ボディ側マウント２１０に対応マウント５１０を挿入する際、誤挿入位置では図２３〜図２７に示すγ２０の少なくとも２か所で当接し、誤挿入を防止する。
【０１２４】
上述した実施の形態によれば、カメラボディ２に、テレコンバータ３、対応レンズ５、非対応レンズ６を適正に使用可能な状態で装着することができる。特に、カメラボディ２にテレコンバータ３、対応レンズ５または非対応レンズ６を装着した際には、４つの爪部３９０、５９０は４つのボディ側爪部２９０の板バネ２１３のそれぞれから＋Ｚ方向に押し付けられる。つまり、カメラシステム１に衝撃を受けた場合でも突出部（後側爪部３９０、レンズ側爪部４９０、ボディ側爪部２９０）がそれぞれ４つあるので、耐衝撃性が高い。
【０１２５】
また、カメラボディ２に、テレコンバータ３、対応レンズ５、非対応レンズ６を装着した際に、それぞれの端子を通じて通信、給電、制御を行うことができ、カメラシステム１を適正に使用することができる。
【０１２６】
テレコンバータ３、対応レンズ５または非対応レンズ６の４つの突出部は、接点保持部の中心と光軸Ｏとを結ぶ直線に対して光軸Ｏ上で略４５度で交差する直線上に配置し、光軸Ｏ周りに略９０度間隔で配置した４つの板バネ２１３に接触してカメラボディ２の４つの突出部と対向することとした。これにより、カメラシステム１を横位置に構えた際でも縦位置に構えた際でも耐衝撃性が高い。特に、テレコンバータ３、対応レンズ５、非対応レンズ６またはカメラボディ２のいずれかに上下方向の衝撃を受けても、接点保持部の中心と光軸Ｏとを結ぶ直線（Ｂ１、Ｌ１、Ｂ５、Ｌ５）の右側と左側とにそれぞれ２つずつ突出部を配置したので、上下方向の衝撃を２以上の突出部で受けることができる。
【０１２７】
ボディ側第３直線Ｂ３上にボディ側第２爪部２９０ｂとボディ側第４爪部２９０ｄとを配置し、ボディ側第４直線Ｂ４上にボディ側第１爪部２９０ａとボディ側第３爪部２９０ｃとを配置した。ここで、ボディ側第４爪部２９０ｄの角度α４は４つのボディ側爪部２９０のうち３番目に角度が大きく、ボディ側第２爪部２９０ｂの角度α２は４つのボディ側爪部２９０のうち最も角度が小さい（４番目に大きい）。また、ボディ側第１爪部２９０ａの角度α１は４つのボディ側爪部２９０のうち最も角度が大きく、ボディ側第３爪部２９０ｃの角度α３は４つのボディ側爪部のうち２番目に角度が大きい。
【０１２８】
よって、テレコンバータ３、対応レンズ５、非対応レンズ６またはカメラボディ２のいずれかに上下方向の衝撃を受けた場合、上側の２つの突出部（ボディ側第１爪部２９０ａとボディ側第２爪部２９０ｂ）の組み合わせと、下側の２つの突出部（ボディ側第４爪部２９０ｄとボディ側第３爪部２９０ｃ）の組み合わせに加わる力が略均等となる。左右方向に衝撃を受けた場合であっても、左側の２つの突出部（ボディ側第３爪部２９０ｃとボディ側第２爪部２９０ｂ）の組み合わせと、右側の２つの突出部（ボディ側第１爪部２９０ａとボディ側第４爪部２９０ｄ）の組み合わせに加わる力が略均等となる。
【０１２９】
テレコン側第３直線Ｌ３上に後側第１爪部３９０ａと後側第３爪部３９０ｃとを配置し、テレコン側第４直線Ｌ４上に後側第２爪部３９０ｂと後側第４爪部３９０ｄとを配置した。ここで、後側第４爪部３９０ｄの角度α８は４つの後側爪部３９０のうち３番目に角度が大きく、後側第２爪部３９０ｂの角度α６は４つの後側爪部３９０のうち最も角度が小さい（４番目に大きい）。また、後側第１爪部３９０ａの角度α５は４つの後側爪部のうち２番目に角度が大きく、後側第３爪部３９０ｃの角度α７は４つの後側爪部のうち最も角度が大きい。
【０１３０】
よって、テレコンバータ３、対応レンズ５、非対応レンズ６またはカメラボディ２のいずれかに上下方向の衝撃を受けた場合、上側の２つの突出部（後側第１爪部３９０ａと後側第２爪部３９０ｂ）の組み合わせと、下側の２つの突出部（後側第４爪部３９０ｄと後側第３爪部３９０ｃ）の組み合わせに加わる力が略均等となる。左右方向に衝撃を受けた場合であっても、左側の２つの突出部（後側第１爪部３９０ａと後側第４爪部３９０ｄ）の組み合わせと、右側の２つの突出部（後側第３爪部３９０ｃと後側第２爪部３９０ｂ）の組み合わせに加わる力が略均等となる。
【０１３１】
また、本実施形態では、テレコン側第３直線Ｌ３上に配置された後側第１爪部３９０ａと後側第３爪部３９０ｃとでは後側第３爪部３９０ｃの方が角度が大きく、テレコン側第４直線ｌ４上に配置された後側第２爪部３９０ｂと後側第４爪部３９０ｄとでは後側第４爪部３９０ｄの方が角度が大きい。すなわち、光軸Ｏを挟んで対向する２つの後側爪部３９０同士は、テレコン側第２直線Ｌ２（水平方向）より下側の２つの後側爪部３９０が大きい。それゆえ、カメラシステムを横位置で構えた状態で、交換レンズ３に下方向から受けた衝撃を、テレコン側第２直線Ｌ２より下側の大きな角度の後側爪部３９０の２つが広い面積で受けることができる。また、カメラシステム１を横位置で構えた状態で、交換レンズ３に下方向からの衝撃を受けた場合、テレコン側第２直線Ｌ２より下側の後側爪部３９０はボディ側爪部２９０に近づく方向（−Ｚ方向）に衝撃を受ける。ここで、板バネ２１３は、後側爪部３９０をボディ側爪部２９０から離れる方向（＋Ｚ方向）に押し付ける。それゆえ、カメラシステム１を横位置で構えた状態で、交換レンズ３に下方向からの衝撃を受けても、テレコン側第２直線Ｌ２より下側の後側爪部３９０は、広い面積で、かつ、それぞれ対向するボディ側爪部２９０の板バネ２１３の付勢力でも衝撃を吸収することができるので、耐衝撃性が高い。
【０１３２】
カメラボディ２に対応レンズ５等を装着した状態において、ボディ側端子保持部２２０は撮像素子２７０の上部に配置される。カメラシステム１を横位置に構えた状態で、対応レンズ５等に入射する太陽光は、対応レンズ５等の射出側において下側に入射するので、撮像素子２７０の下側はゴーストが生じやすいが、本実施形態では撮像素子２７０の下側ではなく上側にボディ側端子保持部２２０を配置したので、ゴーストを抑えることができる。
【０１３３】
４つの板バネ２１３は、光軸Ｏ回りに略９０度間隔で配置される。よって、４つの板バネ２１３のうち光軸Ｏを挟んで少なくとも２つの板バネ２１３は２つの突出部と接触し、その２つの突出部は＋Ｚ方向に押し付けられる。本実施形態ではテレコンバータ３、対応レンズ５または非対応レンズ６が少なくとも４つの突出部を備えることとしたが、４つの突出部のうち１つが破損した場合であっても、少なくとも２つの突出部が光軸Ｏを挟んで対向する位置に配置されているので、光軸Ｏを挟んで対向する位置に配置された２つの板バネ２１３で押し付けられる。したがって、突出部が破損したとしても、テレコンバータ３、対応レンズ５または非対応レンズ６をカメラボディ２に使用可能な状態で装着することができるカメラシステム１を提供することができる。
また、板バネ２１３が直線Ｂ１０上（図５）にあるので、直線Ｂ１０近傍のレンズ側端子をボディ側端子に強く押し付けることができる。
【０１３４】
ビス３１３、５１３は、爪部の装着方向４４の後端側の外周に配置されている。また、ビス３１３、５１３の少なくとも一部は、爪部の外周に配置されている。本実施形態では、装着時に外力を受けても、４つの爪部同士で外力を受けることができる。また、爪部の外周側にビス３１３、５１３の少なくとも一部を配置するので、後側マウント３１０、対応マウント５１０と対応レンズ内の固定部材との間で外力が伝わる際に、４つの爪部と４つのビス３１３、５１３をそれぞれ経由させて、外力が特定の箇所に集中することを防止する。外力の集中を防止できるので、固定部材と後側マウント３１０、対応マウント５１０とを強固に固定することができる。仮に、後側マウント３１０、対応マウント５１０の内径が大きくなると、比例拡大により基準面３１１、５１１の径や爪部の突出量も大きくする必要があるが、本実施形態によれば、４つの爪部と４つのビス３１３、５１３とで外力を受けることができる。従って、本実施形態によれば、後側マウント３１０、対応マウント５１０の内径が大きくなっても、基準面３１１、５１１の径や爪部の突出量を比例拡大する必要がなく、対応レンズ５、非対応レンズ６、カメラボディ２、テレコンバータ３の大型化を回避することができる。
【０１３５】
次のような変形も可能であり、一つもしくは複数の変形例を上述の実施形態と組み合わせることも可能である。
（変形例１）
対応マウント５１０の最も小さい爪部は省略可能である。図２８に示すように、対応マウント５１０のレンズ側第５爪部５９０ｅを省略した第２マウント７１０は、レンズ側第１爪部７９０ａ〜レンズ側第４爪部７９０ｄとレンズ側第１挿抜部７８０ａ〜レンズ側第４挿抜部７８０ｄを備える。レンズ側第１爪部７９０ａ〜レンズ側第４爪部７９０ｄは、対応マウント５１０のレンズ第１爪部５９０ａ、レンズ側第２爪部５９０ｂ、レンズ側第４爪部５９０ｄ、レンズ側第５爪部５９０ｅと略同等である。レンズ側第１挿抜部７８０ａ、レンズ側第２挿抜部７８０ｂ、レンズ側第４挿抜部７８０ｄは、対応マウント５１０のレンズ側第１挿抜部５８０ａ、レンズ側第２挿抜部５８０ｂ、レンズ側第５挿抜部５８０ｅと略同等である。レンズ側第３挿抜部７８０ｃの周方向の長さは、対応マウント５１０のレンズ側第３挿抜部５８０ｃとレンズ側第３爪部５９０ｃとレンズ側第４挿抜部５８０ｄのそれぞれ周方向の長さを足した長さである。第２マウント７１０は、カメラボディ２にもテレコンバータ３にも装着可能である。また、第２マウント７１０がカメラボディ２またはテレコンバータ３に装着された状態では、レンズ側第１爪部７９０ａ〜レンズ側第４爪部７９０ｄの少なくとも一部が板バネ２１３，４１３から付勢され、装着が安定する。
【０１３６】
（変形例２）
対応マウント５１０のレンズ側第４挿抜部５８０ｄは、突起４１５を通過させることができる形状であれば適宜変更可能である。図２９に示すように、第３マウント８１０は、レンズ側第１爪部８９０ａ〜レンズ側第４爪部８９０ｄとレンズ側第１挿抜部８８０ａ〜レンズ側第５挿抜部８８０ｅを備える。レンズ側第１爪部８９０ａ、レンズ側第２爪部８９０ｂ、レンズ側第５爪部８９０ｄは、対応マウント５１０のレンズ第１爪部５９０ａ、レンズ側第２爪部５９０ｂ、レンズ側第５爪部５８０ｅと略同等である。レンズ側第１挿抜部８８０ａ〜レンズ側第３挿抜部８８０ｃ及びレンズ側第５挿抜部８８０ｅは、対応マウント５１０のレンズ側第１挿抜部５８０ａ〜レンズ側第３挿抜部５８０ｃ及びレンズ側第５挿抜部５８０ｅと略同等である。レンズ側第３爪部８９０ｃは、対応マウント５１０のレンズ側第３爪部５９０ｃとレンズ側第４爪部５９０ｄとを円筒部５１２に沿って連結したものである。レンズ側第４挿抜部８８０ｄは、突起４１５を通過させることができる形状である。第３マウント８１０は、カメラボディ２にもテレコンバータ３にも装着可能である。また、第３マウント８１０がカメラボディ２またはテレコンバータ３に装着された状態では、レンズ側第１爪部８９０ａ〜レンズ側第４爪部８９０ｄの少なくとも一部が板バネ２１３，４１３から付勢され、装着が安定する。
【０１３７】
（変形例３）
対応マウント５１０または後側マウント３１０の爪部５９０、３９０の一部を切り欠いてもよい。切り欠く形状や位置に特に制限はないが、装着時に板バネ２１３，４１３から付勢力を受けない位置が好ましい。図３０に示すように、第４マウント９１０はレンズ側第１爪部９９０ａ〜レンズ側第４爪部９９０ｄとレンズ側第１挿抜部９８０ａ〜レンズ側第４挿抜部９８０ｄと切り欠き９９１を備える。レンズ側第１爪部９９０ａ〜レンズ側第３爪部９９０ｃは、後側マウント３１０の後側第１爪部３９０ａ〜後側第３爪部３９０ｃと略同等である。レンズ側第１挿抜部９８０ａ〜レンズ側第４挿抜部９８０ｄは、後側マウント３１０の後側第１挿抜部３８０ａ〜後側第４挿抜部３８０ｄと略同等である。レンズ側第４爪部９９０ｄには、内周から外周に向けて切り欠き９９１が設けられている。レンズ側第４爪部９９０ｄの周方向の長さは、後側マウント３１０の後側第４爪部３９０ｄの周方向の長さと略同じである。第４マウント９１０がカメラボディ２に装着された状態では、レンズ側第１爪部９９０ａ〜レンズ側第４爪部９９０ｄの少なくとも一部が板バネ２１３から付勢され、装着が安定する。また、切り欠き９９１は、板バネ２１３から付勢力を受けない。つまり、レンズ側第４爪部９９０ｄの円周方向の一方が板バネ２１３から付勢力を受け、レンズ側第４爪部９９０ｄの周方向の他方が板バネ２１３から付勢力を受けない。ここで、レンズ側第４爪部９９０ｄは切り欠き９９１により周方向に２分割されているが、カメラボディ２に装着された状態では、レンズ側第４爪部９９０ｄの周方向における切り欠き９９１の両側の領域が、ボディ側第４爪部２９０ｄまたは前側第４爪部４９０ｄと対向する。このように、装着された状態で１つのボディ側爪部に対向する領域を、１つのレンズ側爪部とする。
なお、切り欠き９９１としては、爪部を周方向に２以上に分割するように切り欠いてもよく、爪部の一部を欠くように切り欠いてもよく、爪部の少なくとも一部の径方向の長さが短くなるように切り欠いてもよい。また、爪部は、光軸Ｏと端子保持部の中心とを通る直線から４５度の直線上（直線Ｌ３、Ｌ４、Ｌ７、Ｌ８上）の一部を切り欠いてもよい。
【０１３８】
（変形例４）
後側マウント３１０は非対応マウント６１０と略同等としたが、後側マウント３１０を対応マウント５１０と略同等としてもよい。後側マウント３１０を対応マウント５１０と略同等とするテレコンバータは、カメラボディ２にもテレコンバータ３にも装着可能である。
【０１３９】
（変形例５）
４つのレンズ側爪部５９０のうち１つを省略し、３つのレンズ側爪部を備える構成としてもよい。３つのレンズ側爪部であっても、カメラボディ２の板バネ２１３が光軸Ｏ回りに９０度間隔で配置されるので、少なくとも３つの板バネ２１３からレンズ側爪部が押し付けられて使用可能な状態に装着することができる。
【０１４０】
４つのレンズ側爪部５９０のうち光軸Ｏを挟んで対向する２つを外し、光軸Ｏを挟んで対向する２つのレンズ側爪部を備える構成としてもよい。２つのレンズ側爪部であっても、光軸Ｏを挟んで対向し、かつ、カメラボディ２の板バネが光軸回りに９０度間隔で配置されるので、少なくとも光軸Ｏを挟んで対向する板バネ２１３からレンズ側爪部が押し付けられて使用可能な状態に装着することができる。なお、光軸Ｏを挟んで対向する２つのレンズ側爪部を備える構成とする場合、２つのレンズ側爪部のうちの１つは、レンズ側端子保持部５２０の中心に近い位置に配置するのが好ましい。レンズ側端子保持部５２０の中心に近い位置にレンズ爪部を配置して板バネ２１３と接触させることにより、レンズ側端子とボディ側端子とを接触させてカメラシステム１を適正に使用することができる。
【０１４１】
対応マウント５１０の材料に特に限定は無く、金属でも樹脂でもよい。また対応マウント５１０の端部（レンズ側爪部５９０の外周側端部、レンズ側爪部５９０の円周方向端部、円筒部５１２の光軸Ｏ方向端部など）は少なくとも一部を傾斜して形成してもよい。対応マウント５１０の端部は、傾斜していなくてもよく、一部に段差があってもよい。
【０１４２】
レンズ側端子保持部５２０の形状に特に限定は無く、適宜変更可能である。特に、レンズ側端子保持部５２０の円周方向の端部を傾斜させることにより、挿入位置から装着位置に回転させる際のボディ側端子保持部２２０との接触を滑らかに行うことができる。
また、レンズ側端子保持部５２０は円弧状に配置された複数のレンズ側端子を備えることとしたが、交換レンズ３をカメラボディ２に装着時にボディ側端子に接触する範囲でレンズ側端子の位置をずらしても良い。
【０１４３】
レンズ側爪部５９０の円周方向における中心位置や長さは、装着位置において板バネ２１３から押し付けられる範囲で適宜変更可能である。レンズ側爪部５９０の円周方向における中心位置と被付勢部の円周方向における中心位置とは、異なる位置に配置してもよい。つまり、レンズ側爪部５９０が板バネ２１３の円周方向における中心位置から押し付けられる位置は、レンズ側爪部５９０の円周方向における中心位置とは異なる位置でもよい。同様に、レンズ側爪部５９０の円周方向における中心位置とボディ側爪部２９０の円周方向における中心位置とは、装着位置において一致しなくても良い。また、レンズ側爪部５９０の円周方向の長さと対応するボディ側爪部２９０の円周方向における長さとは、一致しなくても良い。
【０１４４】
後側爪部３９０またはレンズ側第３爪部５９０ｃ以外のレンズ側爪部５９０は、板バネ２１３、４１３に接触されてボディ側爪部２９０または前側爪部４９０から離れる方向に付勢される接触部としての被付勢部を有する。被付勢部の形状は、板バネ２１３、４１３から十分な付勢力を受けられればよく、板バネ２１３、４１３と被付勢部との接触は、点接触、線接触、面接触のいずれでもよい。板バネ２１３、４１３の形状や材質は、対向する爪部を十分押し付けることができればよく、適宜変更可能である。また、１つまたは２つの板バネ２１３、４１３とそれに対向する爪部とは、少なくとも装着完了時に対向していれば良く、必ずしも常に接触している必要もない。例えば、カメラシステム１が外力を受けた際に板バネ２１３、４１３と爪部とが非接触状態となることとしてもよい。板バネ２１３、４１３から爪部が受ける付勢力は常に一定である必要も無く、カメラシステム１が受けた外力に応じて変化させることとしてもよい。
【０１４５】
なお、装着時に対向する爪部同士は、周方向の長さを一致させる必要は無く、後側爪部３９０またはレンズ側第３爪部５９０ｃ以外のレンズ側爪部５９０の周方向の長さは、板バネ２１３が押し付けることができる範囲で変更可能である。また、装着時に一方の爪部の全面と他方の爪部の全面とが対向する必要はなく、一方の爪部の周方向端部の位置が他方の爪部の周方向端部の位置と異なっていてもよい。
また、爪部と対応する挿抜部とは、円周方向の長さを略一致させる必要は無く、挿抜部の周方向の長さに対して挿入される爪部の円周方向の長さが、それ以下ならばよい。
【０１４６】
また、後側第１爪部３９０ａの周方向の長さは、挿入時に対応するボディ側第１挿抜部２８０ａを通過する範囲で変更してもよい。後側第２爪部３９０ｂ、後側第３爪部３９０ｃ、後側第４爪部３９０ｄについても同様である。
さらにまた、円筒部３１２の径方向の厚さは適宜変更可能であり、本実施形態の円筒部３１２より内径側に少なくとも一部が突出する形状であってもよい。
【０１４７】
なお、本実施形態においては、中間アクセサリとしてテレコンバータ３を例に挙げて説明したが、中間アクセサリは、アダプタや接写リングなどでもよい。
【０１４８】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１４９】
１…カメラシステム、２…カメラボディ、３…テレコンバータ、５…対応レンズ、６…非対応レンズ、４４…装着方向、２１０…ボディ側マウント、２１１、３１１、４１１、５１１…基準面、２１２、４１２…開口、２１３、４１３…板バネ、２２０…ボディ側端子保持部、２７０…撮像素子、２８０…ボディ側挿抜部、２９０…ボディ側爪部、３１０…後側マウント、３１１…基準面、３１２、５１２…円筒部、３２０…後側端子保持部、３７０…レンズ、３８０…後側挿抜部、３９０…後側爪部、４１０…前側マウント、４１５…突起、４２０…前側端子保持部、４８０…前側挿抜部、４９０…前側爪部、５１０…対応マウント、５２０…レンズ側端子保持部、５６０、６６０…撮像光学系、５８０…レンズ側挿抜部、５９０…レンズ側爪部、Ｂ１〜Ｂ４…ボディ側基準線（第１〜第４直線）、Ｂ５〜Ｂ８…テレコン側基準線、Ｂ１０…直線、Ｌ１〜Ｌ４…テレコン側基準線（第１〜第４直線）、Ｌ５〜Ｌ８…レンズ側基準線、Ｏ…光軸
【図１】
2020013098.tif 000003
【図２】
2020013098.tif 000004
【図３】
2020013098.tif 000005
【図４】
2020013098.tif 000006
【図５】
2020013098.tif 000007
【図６】
2020013098.tif 000008
【図７】
2020013098.tif 000009
【図８】
2020013098.tif 000010
【図９】
2020013098.tif 000011
【図１０】
2020013098.tif 000012
【図１１】
2020013098.tif 000013
【図１２】
2020013098.tif 000014
【図１３】
2020013098.tif 000015
【図１４】
2020013098.tif 000016
【図１５】
2020013098.tif 000017
【図１６】
2020013098.tif 000018
【図１７】
2020013098.tif 000019
【図１８】
2020013098.tif 000020
【図１９】
2020013098.tif 000021
【図２０】
2020013098.tif 000022
【図２１】
2020013098.tif 000023
【図２２】
2020013098.tif 000024
【図２３】
2020013098.tif 000025
【図２４】
2020013098.tif 000026
【図２５】
2020013098.tif 000027
【図２６】
2020013098.tif 000028
【図２７】
2020013098.tif 000029
【図２８】
2020013098.tif 000030
【図２９】
2020013098.tif 000031
【図３０】
2020013098.tif 000032
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
被写体光が入射する撮像素子と、カメラボディを横位置に構えた際に前記撮像素子の上方に配置された複数のボディ側端子を含むボディ側端子群と、前記ボディ側端子群の外側に配置された円環状のボディ側マウントと、前記ボディ側マウントから内側にそれぞれ突出する複数のボディ側突出部と、前記複数のボディ側突出部の像側にそれぞれ配置された４つの弾性部材と、を備えるカメラボディに対して着脱可能な交換レンズであって、
前記ボディ側マウントと接触するレンズ側マウントと、
前記交換レンズの内部に備えられ、前記レンズ側マウントが固定される固定部材と、
前記レンズ側マウントの内周縁部から前記交換レンズの光軸方向に延びた円筒部と、
前記円筒部の一部の領域の内側に配置され、前記カメラボディに装着時に前記光軸方向に付勢された前記ボディ側端子群と接触するレンズ側端子群と、
前記円筒部から外側に突出し、前記円筒部の円周方向に延びた複数のレンズ側突出部と、を備え、
前記複数のレンズ側突出部のそれぞれの前記円周方向の端部のうち、一つの端部のみが前記一部の領域の外側に位置し、
前記複数のレンズ側突出部は、前記カメラボディに前記交換レンズが装着された際に、前記４つの弾性部材に対向する対向部をそれぞれ備え、
前記固定部材に対して前記レンズ側マウントは少なくとも４つのネジで固定されており、
前記４つのネジは、前記複数のレンズ側突出部の前記対向部の外側において前記対向部の前記円周方向の一方側にそれぞれ配置されている交換レンズ。
【請求項２】
被写体光が入射する撮像素子と、カメラボディを横位置に構えた際に前記撮像素子の上方に配置された複数のボディ側端子を含むボディ側端子群と、前記ボディ側端子群の外側に配置された円環状のボディ側マウントと、前記ボディ側マウントから内側にそれぞれ突出する複数のボディ側突出部と、前記複数のボディ側突出部の像側にそれぞれ配置された４つの弾性部材と、を備えるカメラボディに対して着脱可能な交換レンズであって、
前記ボディ側マウントと接触するレンズ側マウントと、
前記交換レンズの内部に備えられ、前記レンズ側マウントが固定される固定部材と、
前記レンズ側マウントの内周縁部から前記交換レンズの光軸方向に延びた円筒部と、
前記円筒部の一部の領域の内側に配置され、前記カメラボディに装着時に前記光軸方向に付勢された前記ボディ側端子群と接触するレンズ側端子群と、
前記円筒部から外側に突出し、前記円筒部の円周方向に延びた複数のレンズ側突出部と、を備え、
前記複数のレンズ側突出部は、第１レンズ側突出部と第３レンズ側突出部とを備え、
前記一部の領域の外側であって前記円周方向の一方の側には、前記複数のレンズ側突出部のうち前記第１レンズ側突出部が配置され、
前記一部の領域の外側であって前記円周方向の他方の側には、前記複数のレンズ側突出部が対応する前記複数のボディ側突出部の間に挿入される挿入位置において、前記複数のボディ側突出部のうち前記ボディ側端子群の中央に最も近い第１ボディ側突出部が挿抜されるレンズ側第２挿抜部が配置され、
前記複数のレンズ側突出部は、前記カメラボディに前記交換レンズが装着された際に、前記４つの弾性部材に対向する対向部をそれぞれ備え、
前記固定部材に対して前記レンズ側マウントは少なくとも４つのネジで固定されており、
前記４つのネジは、前記複数のレンズ側突出部の前記対向部の外側において前記対向部の前記円周方向の一方側にそれぞれ配置されている交換レンズ。
【請求項３】
前記レンズ側端子群の前記円周方向の一端と光軸とを結ぶ直線と、前記レンズ側端子群の前記円周方向の他端と前記光軸とを結ぶ直線とのなす角度は、第1レンズ側突出部の前記円周方向の一端と前記光軸とを結ぶ直線と前記第1レンズ側突出部の前記円周方向の他端と前記光軸とを結ぶ直線とのなす角度と、レンズ側第２挿抜部の前記円周方向の一端と前記光軸とを結ぶ直線と前記レンズ側第２挿抜部の前記円周方向の他端と前記光軸とを結ぶ直線とのなす角度とを合わせた角度より小さい請求項２に記載の交換レンズ。
【請求項４】
前記レンズ側マウントを前記カメラボディ側から見て、前記レンズ側端子群の中心および光軸を通るレンズ側第１直線と、前記レンズ側第１直線と前記光軸において直交するレンズ側第２直線とで分割される４つの領域のそれぞれに、前記複数のレンズ側突出部の前記円周方向の両端がそれぞれ配置される、請求項１から請求項３までのいずれか一項に記載の交換レンズ。
【請求項５】
前記レンズ側端子群は、前記レンズ側端子群の中央と光軸を結ぶ直線と前記光軸において略４５度で交差する２つの直線の間に配置される請求項１から請求項４までのいずれか一項に記載の交換レンズ。
【請求項６】
前記複数のレンズ側突出部は、第２レンズ側突出部と第４レンズ側突出部とを備え、
前記第２レンズ側突出部の前記円周方向の長さは、前記複数のボディ側突出部のうち前記ボディ側端子群の中央に最も近い第１ボディ側突出部と、前記複数のボディ側突出部のうち前記中央に２番目に近い第２ボディ側突出部との間の前記円周方向の長さよりも短く、
第１レンズ側突出部と第３レンズ側突出部と前記第４レンズ側突出部のそれぞれの前記円周方向の長さは、前記第１ボディ側突出部と前記第２ボディ側突出部との間の前記円周方向の長さよりも長い請求項２から請求項５までのいずれか一項に記載の交換レンズ。
【請求項７】
前記交換レンズは、前記複数のレンズ側突出部が対応する前記複数のボディ側突出部の間に挿入される挿入位置から、前記複数のレンズ側突出部がそれぞれ対応する各ボディ側突出部に対向する装着位置まで、記光軸上の所定位置で前記光軸に略直交する面内において第１方向に第１角度回転させることにより前記カメラボディに装着される請求項１から６のいずれか一項に記載の交換レンズ。
【請求項８】
前記挿入位置とは前記光軸を中心とした円周方向の位置が異なる誤挿入位置において、前記複数のレンズ側突出部のうちの少なくとも２つは、前記複数のボディ側突出部のうちの少なくとも２つと当接する請求項７に記載の交換レンズ。
【請求項９】
前記挿入位置とは前記光軸を中心とした円周方向の位置が異なる誤挿入位置において、前記複数のレンズ側突出部のうちのいずれか１つは、前記複数のボディ側突出部のうち前記ボディ側端子群の中央に最も近い第１ボディ側突出部と当接して、前記複数のボディ側突出部のうち前記中央に２番目に近い第２ボディ側突出部と前記第１ボディ側突出部との間に挿入されない請求項７または８に記載の交換レンズ。
【請求項１０】
前記４つのネジのうちの少なくとも２つは、前記複数のレンズ側突出部のうちの２つの外周側にそれぞれ配置されている、請求項１から請求項９までのいずれか一項に記載の交換レンズ。
【手続補正２】
【補正対象書類名】明細書
【補正対象項目名】０００４
【補正方法】変更
【補正の内容】
【０００４】
本発明の第１の態様による交換レンズは、被写体光が入射する撮像素子と、カメラボディを横位置に構えた際に前記撮像素子の上方に配置された複数のボディ側端子を含むボディ側端子群と、前記ボディ側端子群の外側に配置された円環状のボディ側マウントと、前記ボディ側マウントから内側にそれぞれ突出する複数のボディ側突出部と、前記複数のボディ側突出部の像側にそれぞれ配置された４つの弾性部材と、を備えるカメラボディに対して着脱可能な交換レンズであって、前記ボディ側マウントと接触するレンズ側マウントと、前記交換レンズの内部に備えられ、前記レンズ側マウントが固定される固定部材と、前記レンズ側マウントの内周縁部から前記交換レンズの光軸方向に延びた円筒部と、前記円筒部の一部の領域の内側に配置され、前記カメラボディに装着時に前記光軸方向に付勢された前記ボディ側端子群と接触するレンズ側端子群と、前記円筒部から外側に突出し、前記円筒部の円周方向に延びた複数のレンズ側突出部と、を備え、前記複数のレンズ側突出部のそれぞれの前記円周方向の端部のうち、一つの端部のみが前記一部の領域の外側に位置し、前記複数のレンズ側突出部は、前記カメラボディに前記交換レンズが装着された際に、前記４つの弾性部材に対向する対向部をそれぞれ備え、前記固定部材に対して前記レンズ側マウントは少なくとも４つのネジで固定されており、前記４つのネジは、前記複数のレンズ側突出部の前記対向部の外側において前記対向部の前記円周方向の一方側にそれぞれ配置されている。
本発明の第２の態様による交換レンズは、被写体光が入射する撮像素子と、カメラボディを横位置に構えた際に前記撮像素子の上方に配置された複数のボディ側端子を含むボディ側端子群と、前記ボディ側端子群の外側に配置された円環状のボディ側マウントと、前記ボディ側マウントから内側にそれぞれ突出する複数のボディ側突出部と、前記複数のボディ側突出部の像側にそれぞれ配置された４つの弾性部材と、を備えるカメラボディに対して着脱可能な交換レンズであって、前記ボディ側マウントと接触するレンズ側マウントと、前記交換レンズの内部に備えられ、前記レンズ側マウントが固定される固定部材と、前記レンズ側マウントの内周縁部から前記交換レンズの光軸方向に延びた円筒部と、前記円筒部の一部の領域の内側に配置され、前記カメラボディに装着時に前記光軸方向に付勢された前記ボディ側端子群と接触するレンズ側端子群と、前記円筒部から外側に突出し、前記円筒部の円周方向に延びた複数のレンズ側突出部と、前記複数のレンズ側突出部は、第１レンズ側突出部と第３レンズ側突出部とを備え、前記一部の領域の外側であって前記円周方向の一方の側には、前記複数のレンズ側突出部のうち前記第１レンズ側突出部が配置され、前記一部の領域の外側であって前記円周方向の他方の側には、前記複数のレンズ側突出部が対応する前記複数のボディ側突出部の間に挿入される挿入位置において、前記複数のボディ側突出部のうち前記ボディ側端子群の中央に最も近い前記第１ボディ側突出部が挿抜されるレンズ側第２挿抜部が配置され、前記複数のレンズ側突出部は、前記カメラボディに前記交換レンズが装着された際に、前記４つの弾性部材に対向する対向部をそれぞれ備え、前記固定部材に対して前記レンズ側マウントは少なくとも４つのネジで固定されており、前記４つのネジは、前記複数のレンズ側突出部の前記対向部の外側において前記対向部の前記円周方向の一方側にそれぞれ配置されている。